(57)【要約】【課題】ユーザの利便性の向上を図ることができる冷蔵庫を提供することである。【解決手段】実施形態の冷蔵庫は、冷蔵庫本体と、予備電源装置とを持つ。前記予備電源装置は、前記冷蔵庫本体と電気的に接続され、外部電源から前記冷蔵庫本体に供給される電力の一部を用いて充電可能であるとともに、少なくとも一部がポータブル電源として前記冷蔵庫本体から分離して使用可能である。【選択図】図７
2020085297.tif 000002
【特許請求の範囲】
【請求項１】
冷蔵庫本体と、
前記冷蔵庫本体と電気的に接続され、外部電源から前記冷蔵庫本体に供給される電力の一部を用いて充電可能であるとともに、少なくとも一部がポータブル電源として前記冷蔵庫本体から分離して使用可能な予備電源装置と、
を備えた冷蔵庫。
【請求項２】
前記予備電源装置は、停電時に前記冷蔵庫本体に電力を供給する第１予備電源装置と、前記ポータブル電源として前記冷蔵庫本体から分離して使用可能な第２予備電源装置とを含む、
請求項１に記載の冷蔵庫。
【請求項３】
前記第２予備電源装置は、前記第１予備電源装置と接続されることで、前記第１予備電源装置を介して前記冷蔵庫本体から電力が供給されて充電可能である、
請求項２に記載の冷蔵庫。
【請求項４】
前記第２予備電源装置は、前記冷蔵庫本体から分離して使用されない場合、前記第１予備電源装置とともに前記冷蔵庫本体に電力を供給可能である、
請求項２または請求項３に記載の冷蔵庫。
【請求項５】
前記第２予備電源装置は、前記第１予備電源装置の前方に配置され、前記第１予備電源装置とは干渉せずに前記冷蔵庫の前方に向けて取り外し可能である、
請求項２から請求項４のうちいずれか１項に記載の冷蔵庫。
【請求項６】
前記第１予備電源装置は、前記第２予備電源装置と比べて重いとともに、前記第２予備電源装置よりも後方または前記第２予備電源装置よりも下方に配置されている、
請求項２から請求項５のうちいずれか１項に記載の冷蔵庫。
【請求項７】
前記第２予備電源装置は、前記ポータブル電源として使用されて残容量が低下した後に前記第１予備電源装置と電気的に接続された場合、前記第１予備電源装置から電力が供給されて充電可能である、
請求項２から請求項６のうちいずれか１項に記載の冷蔵庫。
【請求項８】
前記冷蔵庫本体は、複数の貯蔵室を有し、
前記予備電源装置は、前記冷蔵庫が設置される床面と略平行な平状に形成され、前記複数の貯蔵室のなかで最下段の貯蔵室と前記床面との間に配置されている、
請求項１から請求項７のうちいずれか１項に記載の冷蔵庫。
【請求項９】
前記予備電源装置は、前記最下段の貯蔵室と前記床面との間から前記冷蔵庫の前方に向けて取り出し可能である、
請求項８に記載の冷蔵庫。
【請求項１０】
前記冷蔵庫本体に着脱可能に取り付けられ、前記予備電源装置の前方に配置される化粧カバーをさらに備え、
前記予備電源装置は、前記化粧カバーが前記冷蔵庫本体から取り外れた場合に、前記冷蔵庫の前方に露出する取っ手を有する、
請求項９に記載の冷蔵庫。
【請求項１１】
前記冷蔵庫本体に設けられた表示装置と、前記予備電源装置に設けられた表示装置と、前記冷蔵庫のユーザが使用する端末装置の表示装置とのうち少なくとも１つの表示領域に、前記予備電源装置の残容量に関する情報を表示させる制御部をさらに備える、
請求項１から請求項１０のうちいずれか１項に記載の冷蔵庫。
【請求項１２】
前記予備電源装置は、停電時に前記冷蔵庫本体に電力を供給する第１予備電源装置と、前記ポータブル電源として前記冷蔵庫本体から分離して使用可能な第２予備電源装置とを含み、
前記残容量に関する情報は、前記第１予備電源装置から供給される電力で前記冷蔵庫本体が運転される場合における前記冷蔵庫本体の運転継続可能時間と、前記第２予備電源装置から供給される電力で前記端末装置または別の端末装置が充電される場合における充電可能回数とのうち少なくとも一方を含む、
請求項１１に記載の冷蔵庫。
【請求項１３】
前記制御部は、ネットワークを介して受信される災害情報と前記冷蔵庫本体に設けられたセンサの検出結果とのうち少なくとも一方に基づき災害の発生を検出し、災害の発生が検出された場合、前記予備電源装置の異常の有無を検出し、検出された前記予備電源装置の異常の有無を示す情報を前記表示領域に表示させる、
請求項１１または請求項１２に記載の冷蔵庫。
【請求項１４】
前記制御部は、前記予備電源装置の交換目安時期と前記予備電源装置の交換の要否とのうち少なくとも一方を示す情報を前記表示領域に表示させる、
請求項１１から請求項１３のうち少なくとも１項に記載の冷蔵庫。
【請求項１５】
複数の貯蔵室を有した冷蔵庫本体と、
冷蔵庫が設置される床面と略平行な平状に形成され、前記複数の貯蔵室のなかで最下段の貯蔵室と前記床面と間に配置された予備電源装置と、
を備えた冷蔵庫。
【発明の詳細な説明】
【技術分野】
【０００１】
本発明の実施形態は、冷蔵庫に関する。
【背景技術】
【０００２】
二次電池を備えた冷蔵庫が提案されている。ところで、冷蔵庫は、ユーザの利便性のさらなる向上を図ることができると好ましい。
【先行技術文献】
【特許文献】
【０００３】
【特許文献１】特開２０１５−４６９６１号公報
【発明の概要】
【発明が解決しようとする課題】
【０００４】
本発明が解決しようとする課題は、ユーザの利便性の向上を図ることができる冷蔵庫を提供することである。
【課題を解決するための手段】
【０００５】
実施形態の冷蔵庫は、冷蔵庫本体と、予備電源装置とを持つ。前記予備電源装置は、前記冷蔵庫本体と電気的に接続され、外部電源から前記冷蔵庫本体に供給される電力の一部を用いて充電可能であるとともに、少なくとも一部がポータブル電源として前記冷蔵庫本体から分離して使用可能である。
【図面の簡単な説明】
【０００６】
【図１】第１の実施形態の冷蔵庫が設置される環境の一例を示す図。
【図２】第１の実施形態の冷蔵庫を示す正面図。
【図３】図２中に示された冷蔵庫のＦ３−Ｆ３線に沿う断面図。
【図４】図３中に示された断熱筐体のＦ４−Ｆ４線に沿う断面図。
【図５】第１の実施形態の冷蔵庫本体を示す平面図。
【図６】第１の実施形態の冷蔵庫の電力線の接続関係を示すブロック図。
【図７】図３中に示された防災ユニットのＦ７−Ｆ７線に沿う断面図。
【図８】第１の実施形態の予備電源装置本体を示す斜視図。
【図９】図７中に示された防災ユニットのＦ９−Ｆ９線に沿う断面図。
【図１０】図７中に示された防災ユニットのＦ１０−Ｆ１０線に沿う断面図。
【図１１】第１の実施形態において水平面に対して所定角度だけ傾いた冷蔵庫を示す側面図。
【図１２】第１の実施形態の冷蔵庫本体を示す平面図。
【図１３】第１の実施形態の係合部の動きを示す断面図。
【図１４】第１の実施形態の制御部の構成を示すブロック図。
【図１５】第１の実施形態の第１変形例の冷蔵庫を一部断面で示す側面図。
【図１６】第１の実施形態の第１変形例の防災ユニットを示す断面図。
【図１７】第１の実施形態の第２変形例の防災ユニットを示す断面図。
【図１８】第１の実施形態の第３変形例の冷蔵庫を示す断面図。
【図１９】第１の実施形態の第４変形例の冷蔵庫を示す断面図。
【図２０】第１の実施形態の第５変形例の冷蔵庫を示す断面図。
【図２１】第１の実施形態の第６変形例の冷蔵庫を示す断面図。
【図２２】第２の実施形態の冷蔵庫を示す正面図。
【図２３】第２の実施形態の防災ユニットを示す断面図。
【図２４】図２３中に示された防災ユニットのＦ２４−Ｆ２４線に沿う断面図。
【図２５】図２３中に示された防災ユニットのＦ２５−Ｆ２５線に沿う断面図。
【図２６】第３の実施形態の防災ユニットを示す断面図。
【図２７】第３の実施形態の照明装置を示す斜視図。
【図２８】図２６中に示された防災ユニットのＦ２８−Ｆ２８線に沿う断面図。
【図２９】第３の実施形態の第１変形例の冷蔵庫を示す図。
【図３０】第３の実施形態の第２変形例の防災ユニットを示す断面図。
【図３１】第４の実施形態の冷蔵庫を示す斜視図。
【図３２】図３１中に示された冷蔵庫のＦ３２−Ｆ３２線に沿う断面図。
【図３３】第５の実施形態の冷蔵庫を示す斜視図。
【発明を実施するための形態】
【０００７】
以下、実施形態の冷蔵庫を、図面を参照して説明する。以下の説明では、同一または類似の機能を有する構成に同一の符号を付す。そして、それら構成の重複する説明は省略する場合がある。本明細書では、冷蔵庫の正面に立つユーザから冷蔵庫を見た方向を基準に、左右を定義している。また、冷蔵庫から見て冷蔵庫の正面に立つユーザに近い側を「前」、遠い側を「後ろ」と定義している。本明細書において「横幅方向」とは、上記定義における左右方向を意味する。
【０００８】
本明細書で「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【０００９】
（第１の実施形態）
［１．冷蔵庫の設置環境の一例］
図１から図１４を参照して、第１の実施形態の冷蔵庫１について説明する。図１は、第１の実施形態の冷蔵庫１が設置される環境の一例を示す図である。冷蔵庫１は、例えば、無線通信部１７０を有し、ネットワークＮＷを介して端末装置２およびサーバ装置３と通信可能である。ネットワークＮＷは、インターネットやＷＡＮ（Wide Area Network）、家庭内のＬＡＮ（Local Area Network）などを含んでよい。ネットワークＮＷにおける一部または全部の通信は、無線で実現されてもよい。なお、冷蔵庫１は、端末装置２と直接に無線通信を行ってもよい。
【００１０】
端末装置２は、冷蔵庫１のユーザが使用する端末装置であり、例えば、スマートフォンやタブレット端末のような携帯型端末装置である。端末装置２は、表示装置２ａを有する。表示装置２ａは、液晶ディスプレイや有機ＥＬ（Electro Luminescence）ディスプレイなどであり、画像や文字を表示可能な表示画面（表示領域）Ｄ１を有する。
【００１１】
サーバ装置３は、例えば、国や自治体などが管理するサーバ装置である。サーバ装置３は、地震や台風、大雨、洪水などの災害発生時に災害情報を発信する。災害情報は、例えば、地震発生時に発信される緊急地震速報を含む。冷蔵庫１は、サーバ装置３から発信された災害情報をネットワークＮＷ経由で受信可能である。
【００１２】
［２．冷蔵庫の全体構成］
図２は、本実施形態の冷蔵庫１を示す正面図である。冷蔵庫１は、例えば、冷蔵庫本体１００と、防災ユニット２００とを有する。防災ユニット２００は、「冷蔵庫付属防災ユニット」の一例である。
【００１３】
［３．冷蔵庫本体の構成］
まず、冷蔵庫本体１００の構成について説明する。
冷蔵庫本体１００は、例えば、断熱筐体１１０（図３参照）、複数の扉１３０、冷却ユニット１４０（図３参照）、表示装置１５０、操作部１６０、無線通信部１７０、電源回路部１８０、加速度センサＡＳ、および制御部１９０を有する。
【００１４】
図３は、図２中に示された冷蔵庫１のＦ３−Ｆ３線に沿う断面図である。断熱筐体１１０は、例えば、外箱１１０ａと、内箱１１０ｂと、外箱１１０ａと内箱１１０ｂとの間に充填された断熱材１１０ｃとを有し、断熱性を持つ。断熱材１１０ｃは、例えば、発泡ウレタンのような発泡断熱材である。
【００１５】
断熱筐体１１０は、天井壁１１１、底壁１１２、左右の側壁１１３，１１４（図４参照）、および後壁１１５を有する。左右の側壁１１３，１１４は、底壁１１２の左右の端部から上方に起立し、天井壁１１１の左右の端部に繋がっている。後壁１１５は、底壁１１２の後端部から上方に起立し、天井壁１１１の後端部に繋がっている。
【００１６】
断熱筐体１１０の内部には、複数の貯蔵室１２０が設けられている。複数の貯蔵室１２０は、例えば、冷蔵室１２１、野菜室１２２、製氷室１２３（図２参照）、小冷凍室１２４、および主冷凍室１２５を含む。本実施形態では、最上部に冷蔵室１２１が配置され、冷蔵室１２１の下方に野菜室１２２が配置され、野菜室１２２の下方に製氷室１２３および小冷凍室１２４が配置され、製氷室１２３および小冷凍室１２４の下方に主冷凍室１２５が配置されている。ただし、貯蔵室１２０の配置は、上記例に限定されず、例えば野菜室１２２と主冷凍室１２５の配置が逆でもよい。断熱筐体１１０は、各貯蔵室１２０の前面側に、各貯蔵室１２０に対して食材の出し入れを可能にする開口Ｏを有する。
【００１７】
貯蔵室１２０の開口Ｏは、複数の扉１３０によって開閉可能に閉じられている。複数の１３０は、例えば、冷蔵室１２１の開口Ｏを閉じる左右の冷蔵室扉１３１Ａ，１３２Ｂ（図２参照）、野菜室１２２の開口Ｏを閉じる野菜室扉１３２、製氷室１２３の開口Ｏを閉じる製氷室扉１３３（図２参照）、小冷凍室１２４の開口Ｏを閉じる小冷凍室扉１３４、主冷凍室１２５の開口Ｏを閉じる主冷凍室扉１３５を含む。左右の冷蔵室扉１３１Ａ，１３１Ｂは、例えば、観音開き式の扉である。本実施形態では、右冷蔵室扉１３１Ｂの横幅方向の幅ＷＢは、左冷蔵室扉１３１Ａの横幅方向の幅ＷＡよりも大きい（図２参照）。すなわち、左右の冷蔵室扉１３１Ａ，１３１Ｂの境界は、冷蔵庫本体１００の横幅方向の中心に対して左側に偏って位置する。野菜室扉１３２、製氷室扉１３３、小冷凍室扉１３４、および主冷凍室扉１３５は、例えば、引き出し式の扉である。
【００１８】
ここで、天井壁１１１の一例について詳しく説明する。
図４は、図３中に示された断熱筐体１１０のＦ４−Ｆ４線に沿う断面図である。天井壁１１１は、例えば、真空断熱材（ＶＩＰ：Vacuum Insulation Panel）１１１ａを含む。真空断熱材１１１ａは、天井壁１１１の上面（または下面）と略平行な板状に形成され、内箱１１０ｂと断熱材１１０ｃと間に配置されている。真空断熱材１１１ａが設けられると、後述する防災ユニット２００の予備電源装置３００が発熱する場合に、予備電源装置３００の熱が貯蔵室１２０の内部に伝わることを抑制することができる。
【００１９】
天井壁１１１は、補強部材１１１ｂを有してもよい。補強部材１１１ｂは、例えば、外箱１１０ａや内箱１１０ｂ、断熱材１１０ｃよりも剛性が高い部材であり、例えば金属部材である。補強部材１１１ｂは、例えば、天井壁１１１の上面（または下面）と略平行に設けられ、外箱１１０ａと断熱材１１０ｃとの間に配置されている。補強部材１１１ｂは、左側壁１１３の少なくとも一部の上方と、右側壁１１４の少なくとも一部の上方とに亘る。補強部材１１１ｂが設けられると、防災ユニット２００の荷重を左側壁１１３と右側壁１１４とによって支持しやすくなる。ただし、補強部材１１１ｂは、必須の構成要素ではなく、十分な剛性が確保される場合は無くてもよい。
【００２０】
天井壁１１１には、後述する防災ユニット２００の電気接続部材４０３が着脱可能に接続される端子部１１７が設けられている（図５参照）。端子部１１７は、例えば、電力を供給するための電流が流れる電力用端子ＰＴと、信号が流れる信号用端子ＳＴとを含み、電力および信号を送受可能である。なお以下に説明する防災ユニット２００の端子部３１３，３１４，３１６，３２３，３３１，８０３も、それぞれ電力用端子ＰＴおよび信号用端子ＳＴを端子部１１７と同様に有し、電力および信号を送受可能である。
【００２１】
次に、図３に戻り、冷却ユニット１４０について説明する。冷却ユニット１４０は、例えば、複数の冷却器１４１，１４２、複数のファン１４３，１４４、圧縮機１４５、および放熱パイプ１４６（図５参照）を含む。
【００２２】
複数の冷却器１４１，１４２は、例えば、冷蔵室１２１または野菜室１２２の背後に設けられた冷蔵室用冷却器１４１と、主冷凍室１２５または小冷凍室１２４の背後に設けられた冷凍室用冷却器１４２とを含む。複数のファン１４３は、冷蔵室用冷却器１４１で冷却された空気（冷気）を冷蔵室１２１および野菜室１２２で循環させる冷蔵室用ファン１４３と、冷凍室冷却器１４２で冷却された空気（冷気）を製氷室１２３、小冷凍室１２４、および主冷凍室１２５で循環させる冷凍室用ファン１４４とを含む。
【００２３】
圧縮機１４５は、例えば、冷蔵庫１の底部の機械室に設けられている。圧縮機１４５は、貯蔵室１２０の冷却に用いられる冷媒ガスを圧縮する。圧縮機１４５により圧縮された冷媒ガスは、放熱パイプ１４６などを経由して、冷蔵室用冷却器１４１および冷凍室用冷却器１４２に送られる。
【００２４】
図５は、冷蔵庫本体１００を示す平面図である。なお図５では、後述するガイド部材４２０などの図示は省略されている。放熱パイプ１４６は、放熱パイプ１４６内を流れる冷媒の熱を放出させ、冷媒の温度を低下させる。放熱パイプ１４６は、断熱筐体１１０の左右の側壁１１３，１１４や後壁１１５などに設けられている。放熱パイプ１４６の一部は、天井壁１１１に設けられ、例えば天井壁１１１の略中央部に配置されている。このため、天井壁１１１の一部は、放熱パイプ１４６から熱を受けて温度が上昇する場合がある。
【００２５】
次に、図２に戻り、冷蔵庫本体１００の残りの構成について説明する。
表示装置１５０は、例えば、冷蔵室扉１３１Ｂの前面に設けられている。表示装置１５０は、液晶ディスプレイや有機ＥＬディスプレイなどであり、画像や文字を表示可能な表示画面（表示領域）Ｄ２を有する。
【００２６】
操作部１６０は、例えば、タッチパネル式の入力装置であり、表示装置１５０の表示画面Ｄ２に対して重ねて設けられている。ユーザは、操作部１６０を操作することで、冷蔵庫本体１００に対して所定の入力や選択を行うことができる。なお、操作部１６０は、タッチパネル式の入力装置に限定されず、冷蔵庫本体１００に設けられたボタンなどでもよい。
【００２７】
無線通信部１７０は、高周波回路およびアンテナなどを含み、無線によりネットワークＮＷと接続可能である。例えば、無線通信部１７０は、冷蔵庫１が設置された家庭に設けられたアクセスポイントを介してネットワークＮＷに接続される。
【００２８】
電源回路部１８０は、例えば、１つ以上の電源回路基板によって実現され、冷蔵庫本体１００の上端部に配置されている。電源回路部１８０は、冷蔵庫本体１００の電源ケーブル１８５および家庭内のコンセントなどを介して、商用電源Ｐに電気的に接続される。電源回路部１８０には、通常時（非災害時）において、商用電源Ｐから交流電力が供給される。商用電源Ｐは、「外部電源」の一例である。
【００２９】
図６は、冷蔵庫１の電力線の接続関係を示すブロック図である。電源回路部１８０は、商用電源Ｐから供給される交流電力を、冷蔵庫１に含まれる個々の機器に適した電圧の直流電力に変換し、変換した直流電力を上記個々の機器に供給する。例えば、電源回路部１８０は、変換することで得られた直流電力を冷却ユニット１４０、表示装置１５０、および操作部１６０などに供給する。
【００３０】
加速度センサＡＳは、断熱筐体１１０または扉１３０に設けられている。加速度センサＡＳは、地震発生時に大きな加速度を検出する。加速度センサＡＳの検出結果は、制御部１９０に出力される。加速度センサＡＳは、「センサ」の一例である。
【００３１】
制御部１９０は、例えば、１つ以上の制御基板によって実現され、冷蔵庫本体１００の上端部に配置されている。なお、電源回路部１８０と制御部１９０とは、１つの基板によって実現されてもよい。制御部１９０は、冷蔵庫１の全体を制御する。例えば、制御部１９０は、冷却ユニット１４０、表示装置１５０、操作部１６０、無線通信部１７０、電源回路部１８０、および防災ユニット２００の動作を統括的に制御する。なお、制御部１９０の機能については、詳しく後述する。
【００３２】
［４．防災ユニットの構成］
次に、防災ユニット２００の構成について説明する。
図７は、図３中に示された防災ユニット２００のＦ７−Ｆ７線に沿う断面図である。防災ユニット２００は、例えば、ケース２１０、前面カバー２２０（図１０参照）、予備電源装置３００、緩衝部材２４０、支持面形成部材２５０、液漏れ受け部２６０、予備電源固定部２７０、一対の脚部２８０、およびケース固定部２９０を有する。
【００３３】
［４．１  ケースおよび前面カバー］
まず、ケース２１０について説明する。
ケース２１０は、冷蔵庫本体１００の上方に配置され、後述するケース固定部２９０により冷蔵庫本体１００に固定されている。ケース２１０は、例えば、上壁２１１、底壁２１２、左右の側壁２１３，２１４、および後壁２１５を有する。上壁２１１および底壁２１２は、冷蔵庫本体１００の天井壁１１１と略平行に広がる。左右の側壁２１３，２１４は、底壁２１２の左右の端部から上方に起立し、上壁２１１の左右の端部に繋がっている。後壁２１５は、底壁２１２の後端部から上方に起立し、上壁２１１の後端部に繋がっている。ケース２１０は、前面側に開口２１０ａを有した箱状に形成されている。ケース２１０の横幅方向の中心は、冷蔵庫本体１００の横幅方向の中心と略一致する。ケース２１０は、例えば合成樹脂製であり、電気絶縁性を有する。ケース２１０の内部には、災害の発生時に役立つ装置や用品などが収容される収容室（収容空間）が形成されている。
【００３４】
本実施形態では、ケース２１０の内部には、予備電源装置３００が収容される予備電源収容室（予備電源収容空間）ＰＳが形成されている。例えば、ケース２１０は、予備電源収容室ＰＳに収容された予備電源装置３００の左右の端部を下方から支持する一対の支持部４０１を有する。一対の支持部４０１は、冷蔵庫１の奥行方向に延びている。一対の支持部４０１は、冷蔵庫１の横幅方向において互いに離間している。一対の支持部４０１の間には、空間が設けられている。これにより、予備電源装置３００とケース２１０の底壁２１２との間には、予備電源装置３００の経年劣化時の膨張（後述するバッテリユニット３１２，３２２の膨張）を許容する隙間Ｓ１が形成されている。
【００３５】
前面カバー２２０は、ケース２１０の開口２１０ａの前方に位置する。前面カバー２２０は、例えば不図示のヒンジにより軸支され、ケース２１０の開口２１０ａを開閉可能に閉じている。前面カバー２２０は、冷蔵庫本体１００の扉１３０と類似の素材で形成されている。例えば、前面カバー２２０は、冷蔵庫本体１００の扉１３０がガラス板を有する場合は、ガラス板により形成されており、冷蔵庫本体１００の扉１３０が金属板を有する場合は、金属板により形成されている。これにより、防災ユニット２００と冷蔵庫本体１００との統一感が高められている。
【００３６】
なお、前面カバー２２０は、透明な部材で形成されてもよい。この場合、後述する予備電源装置３００の表示画面Ｄ４は、前面カバー２２０を通して外部から視認可能になる。また、前面カバー２２０の少なくとも一部は、透明または半透明な部材で形成されるとともに、前面カバー２２０の背後に設けられた表示装置によって表示領域Ｄ３（図２参照）が形成されてもよい。この場合、表示領域Ｄ３には、前面カバー２２０の背後に設けられた表示装置から前面カバー２２０に投射された文字や図形が表示される。
【００３７】
［４．２  予備電源装置］
［４．２．１  予備電源装置の全体構成］
次に、予備電源装置３００について説明する。
予備電源装置３００は、停電時（災害の発生時）に、商用電源Ｐの代わりに電力を供給する装置である。予備電源装置３００は、ケーブルまたはバスバーのような電気接続部材４０３を介して冷蔵庫本体１００と電気的に接続されている。これにより、予備電源装置３００は、電気接続部材４０３、冷蔵庫本体１００内の電力線４０４（図６参照）、および冷蔵庫本体１００の電源ケーブル１８５などを介して商用電源Ｐと電気的に接続されている。
【００３８】
予備電源装置３００は、通常時には、商用電源Ｐから冷蔵庫本体１００に供給される電力の一部を用いて充電可能である。「商用電源Ｐから冷蔵庫本体１００に供給される電力」とは、例えば、冷蔵庫本体１００の電源ケーブル１８５を介して商用電源Ｐから冷蔵庫本体１００の内部に導かれる電力を広く意味する。「商用電源Ｐから冷蔵庫本体１００に供給される電力の一部を用いて充電可能」とは、商用電源Ｐから冷蔵庫本体１００に供給された電力が冷蔵庫本体１００で何も変換されずに予備電源装置３００に供給される（例えば交流電力のまま供給される）ことで予備電源装置３００が充電可能である場合と、商用電源Ｐから冷蔵庫本体１００に供給された電力が冷蔵庫本体１００で所望の電力（例えば直流電力）に変換されて予備電源装置３００に供給されることで予備電源装置３００が充電可能である場合とのいずれの場合も含む。言い換えると、予備電源装置３００は、冷蔵庫本体１００の電源回路部１８０を介さずに商用電源Ｐと電気的に接続されてもよく、冷蔵庫本体１００の電源回路部１８０を介して商用電源Ｐと電気的に接続されてもよい。
【００３９】
また本明細書において「冷蔵庫本体１００を介して商用電源Ｐから電力が供給されて充電可能」および「冷蔵庫本体１００から電力が供給されて充電可能」とは、上述した「商用電源Ｐから冷蔵庫本体１００に供給される電力の一部を用いて充電可能」と同じ意味で用いられている。すなわち、これら表現は互いに読み替え可能である。
【００４０】
本実施形態では、予備電源装置３００の少なくとも一部は、ポータブル電源として冷蔵庫本体１００から分離して使用可能である。本明細書において「冷蔵庫本体１００から分離して使用可能」および「冷蔵庫本体１００から分離可能」とは、冷蔵庫本体１００の設置場所とは異なる場所に持ち運んで使用可能であることを意味する。また「ポータブル電源」とは、持ち運び可能な電源を広く意味し、比較的小型のモバイルバッテリーなども含む。
【００４１】
ここで、予備電源装置３００の一例について詳しく説明する。予備電源装置３００は、例えば、予備電源装置本体３００Ｕ、本体コネクタ３３０、ファン３４０、電源回路部３５０、予備電源全体制御部３６０、および記憶部３７０（図１４参照）を有する。
【００４２】
図８は、予備電源装置本体３００Ｕを示す斜視図である。本実施形態では、予備電源装置本体３００Ｕは、第１予備電源装置３１０と、第２予備電源装置３２０とを含む。
【００４３】
［４．２．２  第１予備電源装置］
まず、第１予備電源装置３１０の構成について説明する。
第１予備電源装置３１０は、停電時に冷蔵庫本体１００に電力を供給する予備電源装置である。すなわち、第１予備電源装置３１０は、停電時に冷蔵庫本体１００と一体に残され（防災ユニット２００のケース２１０の内部に残され）、圧縮機１４５や冷却ユニット１４０を駆動するための電力など冷蔵庫１の冷却機能の維持に必要な電力を冷蔵庫本体１００に供給する。
【００４４】
詳しく述べると、第１予備電源装置３１０は、例えば、第１予備電源ケース３１１、バッテリユニット３１２、第１端子部３１３、第２端子部３１４、電圧センサＶＳ１（図６参照）、および電流センサＩＳ１（図６参照）を有する。
【００４５】
第１予備電源ケース３１１は、例えば箱状に形成されている。第１予備電源ケース３１１は、第１端部３１１ａと、第２端部３１１ｂとを有する。第１端部３１１ａは、後述する本体コネクタ３３０に面する端部である。第２端部３１１ｂは、第１端部３１１ａとは反対側に位置し、第２予備電源装置３２０に面する端部である。
【００４６】
バッテリユニット３１２は、第１予備電源ケース３１１の内部に収容されている。バッテリユニット３１２は、１つ以上の二次電池を含む。二次電池は、例えばリチウムイオン二次電池であるが、その他の種類の二次電池でもよく、その種類は特に問わない。これは、第２予備電源装置３２０についても同様である。例えば、第１予備電源装置３１０のバッテリユニット３１２の容量は、第２予備電源装置３２０のバッテリユニット３２２の容量よりも大きい。例えば、第１予備電源装置３１０のバッテリユニット３１２の容量は、冷蔵庫本体１００の冷却機能を停電後の数日間に亘り維持可能な容量である。
【００４７】
第１端子部３１３は、第１予備電源ケース３１１の第１端部３１１ａに設けられている。第１端子部３１３は、第１予備電源装置３１０と本体コネクタ３３０とを接続するための端子部である。第１予備電源装置３１０は、本体コネクタ３３０と接続されることで、本体コネクタ３３０、電源回路部３５０、および電気接続部材４０３を介して冷蔵庫本体１００と電気的に接続される。これにより、第１予備電源装置３１０のバッテリユニット３１２は、冷蔵庫本体１００から電力が供給されて充電可能である。
【００４８】
第２端子部３１４は、第１予備電源ケース３１１の第２端部３１１ｂに設けられている。第２端子部３１４は、第１予備電源装置３１０と第２予備電源装置３２０とを接続するための端子部である。
【００４９】
電圧センサＶＳ１は、バッテリユニット３１２の端子電圧の電圧値を検出する。電流センサＩＳ１は、バッテリユニット３１２に充電される、またはバッテリユニット３１２から放電される電流の電流値を検出する。電圧センサＶＳ１および電流センサＩＳ１の検出結果は、例えば第１端子部３１３および本体コネクタ３３０を介して予備電源全体制御部３６０に出力される。
【００５０】
［４．２．３  第２予備電源装置］
次に、第２予備電源装置３２０の構成について説明する。
第２予備電源装置３２０は、停電時や避難が必要な災害時に、ポータブル電源として冷蔵庫本体１００から分離され、所望の場所に持ち運ばれて利用することができる予備電源装置である。すなわち、第２予備電源装置３２０は、防災ユニット２００のケース２１０の外部に取り出され、リビングや寝室、避難所などに持ち運ばれた状態で予備電源装置として利用可能である。第２予備電源装置３２０は、例えば、ユーザが所有する各種の電子機器（スマートフォンやタブレット端末、ノート型パソコン、ラジオ、携帯テレビなど）の充電などに利用される。
【００５１】
なお、第２予備電源装置３２０は、冷蔵庫本体１００から分離して使用されない場合、第１予備電源装置３１０とともに冷蔵庫本体１００に電力を供給可能である。すなわち、第２予備電源装置３２０は、例えば、停電時の冷蔵庫本体１００の運転継続可能時間を長くしたい場合、第１予備電源装置３１０とともに冷蔵庫本体１００と一体に残される（防災ユニット２００のケース２１０の内部に残される）ことで、第１予備電源装置３１０とともに冷蔵庫１の冷却機能の維持に必要な電力を冷蔵庫本体１００に供給可能である。
【００５２】
詳しく述べると、第２予備電源装置３２０は、例えば、第２予備電源ケース３２１、バッテリユニット３２２、端子部３２３、取っ手３２４、表示装置３２５、複数のコネクタ３２６、電源回路部３２７、電圧センサＶＳ２（図６参照）、電流センサＩＳ２（図６参照）、および第２予備電源制御部３２８を有する。
【００５３】
第２予備電源ケース３２１は、例えば箱状に形成されている。第２予備電源ケース３２１は、第１端部３２１ａと、第２端部３２１ｂとを有する。第１端部３２１ａは、第１予備電源装置３１０に面する端部である。第２端部３２１ｂは、第１端部３２１ａとは反対側に位置し、冷蔵庫１の前方に向けて配置される端部である。第２予備電源ケース３２１の内部には、バッテリユニット３２２が収容されている。バッテリリユニット３２２は、１つ以上の二次電池を含む。
【００５４】
端子部３２３は、第２予備電源ケース３２１の第１端部３２１ａに設けられている。端子部３２３は、第１予備電源装置３１０と第２予備電源装置３２０とを接続するための端子部であり、第１予備電源装置３１０の第２端子部３１４と着脱可能に接続される。第２予備電源装置３２０は、第１予備電源装置３１０と接続されることで、第１予備電源装置３１０、本体コネクタ３３０、電源回路部３５０、および電気接続部材４０３を介して冷蔵庫本体１００に電気的に接続される。これにより、第２予備電源装置３２０のバッテリユニット３２２は、冷蔵庫本体１００から電力が供給されて充電可能になる。第２予備電源装置３２０のバッテリユニット３２２は、例えば、第１予備電源装置３１０のバッテリユニット３１２に対して電気的に並列に接続される。これに代えて、第２予備電源装置３２０のバッテリユニット３２２は、第１予備電源装置３１０のバッテリユニット３１２に対して電気的に直列に接続されてもよい。
【００５５】
取っ手３２４は、第２予備電源ケース３２１の第２端部３２１ｂに設けられている。取っ手３２４は、第２予備電源装置３２０を防災ユニット２００のケース２１０から取り出す場合や、第２予備電源装置３２０を持ち運ぶ場合に、ユーザが手を掛ける部分である。取っ手３２４は、第２予備電源装置３２０が防災ユニット２００のケース２１０に収容された状態で、ケース２１０の開口２１０ａに対して予備電源装置本体３００Ｕのなかで最も近くに位置する。取っ手３２４は、防災ユニット２００の前面カバー２２０が開かれた場合、ケース２１０の開口２１０ａを通じて、冷蔵庫１の前方に向けてケース２１０の外部に露出される。
【００５６】
表示装置３２５は、第２予備電源ケース３２１の第２端部３２１ｂに設けられている。表示装置３２５は、液晶ディスプレイや有機ＥＬディスプレイなどであり、画像や文字を表示可能な表示画面（表示領域）Ｄ４を有する。なお、表示装置３２５は、異常の有無や充電の要否を色や点滅状態で示すＬＥＤ素子などでもよい。
【００５７】
複数のコネクタ（電力供給部）３２６は、第２予備電源ケース３２１の第２端部３２１ｂに設けられている。複数のコネクタ３２６は、電力を必要とする各種機器が接続される接続部である。コネクタ３２６に接続された機器には、第２予備電源装置３２０のバッテリユニット３２２から電力が供給される。複数のコネクタ３２６は、例えば、ＵＳＢ（Universal Serial Bus）ポート、各種規格に対応したコンセント、およびシガーライターなどを含む。ただし、コネクタ３２６は、上記例に限定されず、ｍｉｃｒｏＵＳＢや他の形式に対応したコネクタなどでもよい。
【００５８】
第２予備電源装置３２０の電源回路部３２７は、例えば１つ以上の電源回路基板によって実現され、第２予備電源ケース３２１の内部に収容されている。電源回路部３２７は、バッテリユニット３２２から出力される電力を所望の電圧の電力に変換して各コネクタ３２６に供給する。電源回路部３２７は、１つ以上のコネクタ３２６が交流電力に対応する場合、ＤＣ−ＡＣコンバータを含む。
【００５９】
電圧センサＶＳ２は、バッテリユニット３２２の端子電圧の電圧値を検出する。電流センサＩＳ２は、バッテリユニット３２２に充電される、またはバッテリユニット３２２から放電される電流の電流値を検出する。電圧センサＶＳ２および電流センサＩＳ２の検出結果は、第２予備電源制御部３２８に出力される。また、電圧センサＶＳ２および電流センサＩＳ２の検出結果は、例えば端子部３２３，３１３，３１４および本体コネクタ３３０を介して予備電源全体制御部３６０に出力される。
【００６０】
第２予備電源制御部３２８は、例えば、１つ以上の制御基板により実現され、第２予備電源ケース３２１の内部に収容されている。なお、電源回路部３２７と第２予備電源制御部３２８とは、１つの基板によって実現されてもよい。第２予備電源制御部３２８は、第２予備電源装置３２０の全体を制御する。例えば、第２予備電源制御部３２８は、バッテリユニット３２２、表示装置３２５、電源回路部３２７の動作を制御する。
【００６１】
第２予備電源制御部３２８は、例えば、端子部３２３，３１３，３１４、および本体コネクタ３３０を介して予備電源全体制御部３６０と通信可能である。また、第２予備電源制御部３２８は、例えば、端子部３２３，３１３，３１４、本体コネクタ３３０、および電気接続部材４０３を介して、冷蔵庫本体１００の制御部１９０と通信可能である。ただし、第２予備電源制御部３２８は、上記に代えて、Ｂｌｕｅｔｏｏｔｈ（登録商標）または別方式の無線通信により予備電源全体制御部３６０および冷蔵庫本体１００の制御部１９０と通信可能であってもよい。なお、第２予備電源制御部３２８の機能については、詳しく後述する。
【００６２】
ここで、冷蔵庫本体１００において、左右の冷蔵庫扉１３１Ａ，１３１Ｂの幅ＷＡ，ＷＢが異なり、左右の冷蔵庫扉１３１Ａ，１３１Ｂの境界は、冷蔵庫本体１００の横幅方向の中心に対して左側に偏って位置する。その結果、左右の冷蔵庫扉１３１Ａ，１３１Ｂが閉じられた時に防災ユニット２００に加わる衝撃は、防災ユニット２００のなかで右側寄り領域よりも左側寄り領域に伝わりやすい。そこで本実施形態では、第２予備電源装置３２０の電源回路部３２７および第２予備電源制御部３２８は、第２予備電源ケース３２１のなかで、第２予備電源ケース３２１の中心に対して右側に偏って配置されている。これにより、冷蔵庫扉１３１Ａ，１３１Ｂが閉じられる時に防災ユニット２００に加わる衝撃は、電源回路部３２７および第２予備電源制御部３２８には伝わりにくい。
【００６３】
［４．２．４  第１予備電源装置および第２予備電源装置の配置］
図９は、図７に示された防災ユニット２００のＦ９―Ｆ９線に沿う断面図である。図１０は、図７に示された防災ユニット２００のＦ１０―Ｆ１０線に沿う断面図である。
【００６４】
本実施形態では、第２予備電源装置３２０は、防災ユニット２００のケース２１０の内部で第１予備電源装置３１０の前方に配置され、第１予備電源装置３１０と比べてケース２１０の開口２１０ａの近くに位置する。第２予備電源装置３２０は、第１予備電源装置３１０とは干渉せずにケース２１０の内部からケース２１０の前方に向けて（すなわち、冷蔵庫１の前方に向けて）取り外し可能である。第２予備電源装置３２０は、防災ユニット２００のケース２１０が冷蔵庫本体１００に固定された状態で、ケース２１０の内部からケース２１０の前方に向けて取り出し可能である。
【００６５】
別の観点で見ると、第１予備電源装置３１０は、第２予備電源装置３２０よりも大きく、第２予備電源装置３２０よりも重い。第１予備電源装置３１０は、防災ユニット２００のケース２１０の内部で第２予備電源装置３２０よりも後方に配置されている。これにより、予備電源装置本体３００Ｕの重心が後方側に位置しやすくなる。
【００６６】
本実施形態では、第１予備電源装置３１０と第２予備電源装置３２０とは、互いに略同じ高さに配置され、冷蔵庫１の前後方向に並べて配置されている。これにより、第１予備電源装置３１０と第２予備電源装置３２０とうちいずれか一方が高い位置に配置される場合と比べて、予備電源装置本体３００Ｕの重心位置を低くすることができる。なお、第１予備電源装置３１０と第２予備電源装置３２０とが上下に配置される場合は、第１予備電源装置３１０は、防災ユニット２００のケース２１０の内部で第２予備電源装置３２０よりも下方に配置される。これにより、予備電源装置本体３００Ｕの重心位置を低くすることができる。
【００６７】
［４．２．５  予備電源装置のその他の構成］
次に、本体コネクタ３３０について説明する。
本体コネクタ３３０は、例えば、予備電源収容室ＰＳの後端部に設けられ、冷蔵庫１の前後方向で予備電源装置本体３００Ｕに面する。本体コネクタ３３０は、第１予備電源装置３１０の第１端子部３１３と着脱可能に接続される端子部３３１を有する。第１予備電源装置３１０の第１端子部３１３は、第１予備電源装置３１０が本体コネクタ３３０に向けて押されることで、本体コネクタ３３０の端子部３３１と接続される。本体コネクタ３３０は、予備電源装置３００の電源回路部３５０と電気的に接続されている。
【００６８】
次に、ファン３４０について説明する。
ファン３４０は、予備電源収容室ＰＳに設けられている。ここで、ケース２１０の左右の側壁２１３，２１４には、複数の吸気孔４１１が設けられている。一方で、ケース２１０の後壁２１５には、複数の排気孔４１２が設けられている。吸気孔４１１および排気孔４１２は、それぞれ予備電源収容室ＰＳとケース２１０の外部とを連通させる通気孔である。なお、吸気孔４１１および排気孔４１２の配置は、上記例に限らず、それぞれケース２１０の別の部分に設けられてもよい。
【００６９】
ファン３４０は、予備電源収容室ＰＳの空気を吸い込み、吸い込んだ空気を排気孔４１２からケース２１０の外部に排気する。ファン３４０が駆動されることで、ケース２１０の外部の比較的温度が低い空気が吸気孔４１１から予備電源収容室ＰＳに流入する。予備電源収容室ＰＳに流入した空気は、予備電源装置本体３００Ｕ、電源回路部３５０、予備電源全体制御部３６０などの周囲を流れることで予備電源装置３００の熱を奪う。予備電源装置３００の熱を奪うことで温度が上昇した空気は、冷却ファン３４０によりケース２１０の外部に排気される。これにより、予備電源装置３００の放熱が促進される。
【００７０】
ただし、予備電源装置３００は、ファン３４０を有しなくてもよい。ファン３４０が設けられない場合でも、予備電源収容室ＰＳとケース２１０の外部とを連通させる通気孔が設けられることで、予備電源装置３００の放熱をある程度促進することができる。
【００７１】
次に、電源回路部３５０について説明する。
電源回路部３５０は、例えば、１つ以上の電源回路基板によって実現され、予備電源収容室ＰＳの後端部に配置されている。電源回路部３５０は、電気接続部材４０３を介して冷蔵庫本体１００と電気的に接続されている。電源回路部３５０には、冷蔵庫本体１００から電力が供給される。電源回路部３５０は、冷蔵庫本体１００から供給される電力を予備電源装置３００のバッテリユニット３１２，３２２に適した電圧の直流電力に変換し、変換した直流電力をバッテリユニット３１２，３２２に供給する。これにより、バッテリユニット３１２，３２２が充電される。なお、電源回路部３５０の機能は、冷蔵庫本体１００の電源回路部１８０の一部として設けられてもよい。この場合、予備電源装置３００の電源回路部３５０は、省略されてもよい。
【００７２】
次に、予備電源全体制御部３６０について説明する。
予備電源全体制御部３６０は、例えば、１つ以上の制御基板によって実現され、予備電源収容室ＰＳの後端部に配置されている。なお、電源回路部３５０と予備電源全体制御部３６０とは、１つの基板によって実現されてもよい。予備電源全体制御部３６０は、予備電源装置３００の全体を制御する。例えば、予備電源全体制御部３６０は、ファン３４０および電源回路部３５０の動作を制御する。予備電源全体制御部３６０は、電気接続部材４０３を介して、冷蔵庫本体１００の制御部１９０と通信可能である。ただし、予備電源全体制御部３６０は、上記に代えて、Ｂｌｕｅｔｏｏｔｈまたは別方式の無線通信により冷蔵庫本体１００の制御部１９０と通信可能であってもよい。なお、予備電源全体制御部３６０の機能については、詳しく後述する。
【００７３】
電源回路部３５０および予備電源全体制御部３６０は、予備電源収容室ＰＳのなかで、予備電源収容室ＰＳの中心に対して右側に偏って配置されている。これにより、冷蔵庫扉１３１Ａ，１３１Ｂが閉じる時に防災ユニット２００に加わる衝撃は、電源回路部３５０および予備電源全体制御部３６０に伝わりにくい。
【００７４】
記憶部３７０は、例えば、ＥＥＰＲＯＭ（Electrically Erasable Programmable Read-Only Memory）またはＲＯＭ（read-only memory）により構成されている。なお、記憶部３７０に記憶される情報については、詳しく後述する。
【００７５】
［４．２．６  予備電源装置および防災ユニットの重心位置］
次に、図３を参照し、予備電源装置３００および防災ユニット２００の重心位置について説明する。予備電源装置３００の重心位置Ｇ３と防災ユニット２００の重心位置Ｇ２とのうち少なくとも一方は、冷蔵庫本体１００の複数の扉１３０の全てが全開位置にある状態で、冷蔵庫本体１００の重心位置Ｇ１よりも後方に位置する。このような構成によれば、地震により冷蔵庫１が揺れた場合でも、防災ユニット２００が設けられた冷蔵庫１が前方に転倒しにくくなる。
【００７６】
本実施形態では、予備電源装置３００の重心位置Ｇ３と防災ユニット２００の重心位置Ｇ２とのうち少なくとも一方は、冷蔵庫本体１００の複数の扉１０３の全てが全閉位置にある状態でも、冷蔵庫本体１００の重心位置Ｇ１よりも後方に位置する。このような構成によれば、地震により冷蔵庫１が揺れた場合でも、冷蔵庫１の安定性が増し、冷蔵庫１が前方に転倒しにくくなる。
【００７７】
別観点で見ると、図９に示すように、予備電源装置３００の前後方向の寸法上の中心位置（例えば、予備電源装置本体３００Ｕの前後方向の寸法上の中心位置）Ｃ３は、冷蔵庫本体１００の前後方向の寸法上の中心位置Ｃ１よりも後方に位置する。また、防災ユニット２００の前後方向の寸法上の中心位置Ｃ２は、冷蔵庫本体１００の前後方向の寸法上の中心位置Ｃ１よりも後方に位置する。
【００７８】
また異なる別観点で見ると、予備電源装置３００の後端（例えば予備電源装置本体３００Ｕの後端）と、冷蔵庫本体１００の後端との間の前後方向の距離Ｌ３ａは、予備電源装置３００の前端（例えば予備電源装置本体３００Ｕの前端）と、冷蔵庫本体１００の前端との間の前後方向の距離Ｌ３ｂよりも小さい。また、防災ユニット２００の後端（例えばケース２１０の後端）と、冷蔵庫本体１００の後端との間の前後方向の距離Ｌ２ａは、防災ユニット２００の前端（例えば前面カバー２２０の前端）と、冷蔵庫本体１００の前端との間の前後方向の距離Ｌ２ｂよりも小さい。
【００７９】
図１１は、水平面に対して前方に所定角度α（例えば８度）だけ傾いた冷蔵庫１を示す側面図である。予備電源装置３００の重心位置Ｇ３と防災ユニット２００の重心位置Ｇ２とのうち少なくとも一方は、冷蔵庫本体１００の複数の扉１３０の全てが全開位置にあり、且つ、冷蔵庫１が前方に所定角度α（例えば８度）だけ傾いた状態で、冷蔵庫本体１００の重心位置Ｇ１よりも後方に位置する。このような構成によれば、地震により冷蔵庫１が比較的大きく揺れた場合でも、冷蔵庫１が前方に転倒しにくくなる。
【００８０】
本実施形態では、予備電源装置３００の重心位置Ｇ３と防災ユニット２００の重心位置Ｇ２とのうち少なくとも一方は、冷蔵庫本体１００の複数の扉１３０の全てが全閉位置にあり、且つ、冷蔵庫１が前方に所定角度α（例えば８度）だけ傾いた状態でも、冷蔵庫本体１００の重心位置Ｇ１よりも後方に位置する。このような構成によれば、冷蔵庫１の安定性が増し、冷蔵庫１が前方に転倒しにくくなる。
【００８１】
また別の観点では、予備電源装置３００の重心位置Ｇ３（または防災ユニット２００の重心位置Ｇ２）は、冷蔵庫１が前方に所定角度α（例えば８度）だけ傾いた状態でも、冷蔵庫本体１００の前脚部１１８よりも後方に位置する。このような構成によれば、防災ユニット２００の重量は、冷蔵庫１の傾きを元に戻す方向に作用する。これにより、冷蔵庫１が前方に転倒しにくくなる。
【００８２】
次に、防災ユニット２００の残りの構成について説明する。
［４．３  緩衝部材および支持表面形成部材］
図７を参照し、緩衝部材２４０および支持面形成部材２５０について説明する。
本実施形態では、ケース２１０の支持部４０１と予備電源装置３００との間には、緩衝部材２４０と支持面形成部材２５０とが設けられている。
【００８３】
緩衝部材２４０は、ケース２１０の支持部４０１と予備電源装置本体３００Ｕとの間に配置されている。緩衝部材２４０は、ゴムまたはばねのような弾性体で形成され、弾性変形可能である。予備電源装置本体３００Ｕは、緩衝部材２４０を介してケース２１０の支持部４０１に支持されている。緩衝部材２４０が設けられることで、冷蔵庫本体１００の振動（例えば冷蔵庫本体１００の圧縮機１４５の振動）が予備電源装置本体３００Ｕに伝わることが抑制される。なお、緩衝部材２４０は、上記例に代えて、後述する脚部２８０に設けられてもよい。すなわち、脚部２８０の一部が緩衝部材２４０によって形成されてもよい。
【００８４】
支持面形成部材２５０は、緩衝部材２４０と予備電源装置本体３００Ｕとの間に配置されている。支持面形成部材２５０は、緩衝部材２４０と比べて摩擦係数が小さい部材で形成されている。支持面形成部材２５０は、例えば金属板であり、緩衝部材２４０の上面の全面に貼り付けられている。予備電源装置本体３００Ｕ（第１および第２の予備電源装置３１０，３２０）は、支持面形成部材２５０の上を略水平方向に滑らせることでケース２１０内への挿入やケース２１０の外部への取り出しが行われる。これにより、災害の発生時における第２予備電源装置３２０の取り出しや、経年劣化による交換時における第１予備電源装置３１０の取り出しをスムーズに行うことができる。
【００８５】
［４．４  液漏れ受け部］
次に、図７を参照し、液漏れ受け部２６０について説明する。
本実施形態では、予備電源装置３００の下方に液漏れ受け部２６０が設けられている。液漏れ受け部２６０は、例えば、予備電源収容室ＰＳにおいて予備電源装置本体３００Ｕの下方に配置されている。液漏れ受け部２６０は、地震の揺れなどに起因してバッテリユニット３１２，３２２が万が一に破損して液体が漏れる場合に、その液体を受けて貯留する。本実施形態では、液漏れ受け部２６０は、予備電源装置３００を支持するケース２１０の一対の支持部４０１の間に設けられている。液漏れ受け部２６０は、例えばオイルパンであるが、これに限定されない。例えば、液漏れ受け部２６０は、ケース２１０の前端部に設けられて、漏れた液体がケース２１０の開口２１０ａからケース２１０の外部に流出することを防止するリブ２６５（図１０参照）などでもよい。
【００８６】
［４．５  予備電源固定部］
次に、図９を参照し、予備電源固定部２７０について説明する。
本実施形態では、予備電源装置３００を固定するために予備電源固定部２７０が設けられている。予備電源固定部２７０は、例えば、第１予備電源装置３１０を固定する一対の第１電源固定部２７１と、第２予備電源装置３２０を固定する一対の第２電源固定部２７２とを含む。
【００８７】
一対の第１電源固定部２７１は、冷蔵庫１の横幅方向に沿って、互いに近付く方向と、互いに離れる方向とに移動可能である。一対の第１電源固定部２７１は、第１予備電源装置３１０がケース２１０に収容された後に、互いに近付く方向に移動される。これにより、第１電源固定部２７１と本体コネクタ３３０との間に第１予備電源装置３１０が挟まり、第１予備電源装置３１０の位置が固定される。一対の第１電源固定部２７１は、不図示の解除ボタンが操作されることで、互いに離れる方向に移動される。これにより、第１予備電源装置３１０を取り外すことができる。
【００８８】
同様に、一対の第２電源固定部２７２は、冷蔵庫１の横幅方向に沿って、互いに近付く方向と、互いに離れる方向とに移動可能である。一対の第２電源固定部２７２は、第２予備電源装置３２０がケース２１０に収容された後に、互いに近付く方向に移動される。これにより、第２電源固定部２７２と第１予備電源装置３１０との間に第２予備電源装置３２０が挟まり、第２予備電源装置３２０の位置が固定される。一対の第２電源固定部２７２は、不図示の解除ボタンが操作されることで、互いに離れる方向に移動される。これにより、第２予備電源装置３２０を取り外すことができる。
【００８９】
［４．６  脚部に関連する構成］
次に、図７を参照し、脚部２８０に関連する構成について説明する。
一対の脚部２８０は、例えば、防災ユニット２００のケース２１０の底壁２１２の下面に設けられ、ケース２１０の前後方向に延びている。脚部２８０は、冷蔵庫本体１００の天井壁１１１の上に載せられる。脚部２８０が設けられることで、防災ユニット２００のケース２１０の底壁２１２と冷蔵庫本体１００の天井壁１１１との間に隙間Ｓ２が形成されている。これにより、天井壁１１１の一部が放熱パイプ１４６の影響で熱くなる場合であっても、その熱が防災ユニット２００に伝わることが抑制される。
【００９０】
図１２は、本実施形態の冷蔵庫本体１００を示す平面図である。冷蔵庫本体１００の天井壁１１１は、天井壁１１１の上面に設けられたガイド部材４２０を有する。ガイド部材４２０は、防災ユニット２００の脚部２８０を天井壁１１１の後端部に向けて案内する。ガイド部材４２０は、例えば、防災ユニット２００の脚部２８０を挟むように起立した一対の起立部４２１を含む。防災ユニット２００の脚部２８０は、一対の起立部４２１により案内されることで、冷蔵庫１の横幅方向の位置がずれることなく、天井壁１１１の後端部に向けて案内される。
【００９１】
本実施形態では、冷蔵庫本体１００と防災ユニット２００とは、互いに分離された状態で家庭内の設置場所に搬入される。そして、冷蔵庫本体１００に対する防災ユニット２００の設置は、家庭内の設置場所に冷蔵庫本体１００が設置された後に行われる。例えば、冷蔵庫本体１００に対する防災ユニット２００の設置は、先に設置された冷蔵庫本体１００の天井壁１１１の前端部に防災ユニット２００の脚部２８０を載せることから始まる。そして、防災ユニット２００の脚部２８０をガイド部材４２０に案内させながら冷蔵庫本体１００の天井壁１１１の上面に沿って滑らせる。これにより、防災ユニット２００の重量が比較的重い場合であっても、防災ユニット２００を備える冷蔵庫１を比較的容易に設置することができる。
【００９２】
［４．７  ケース固定部］
次に、図９を参照し、ケース固定部２９０について説明する。
ケース固定部２９０は、一対の第１ケース固定部２９１と、一対の第２ケース固定部２９２とを有する。一対の第１ケース固定部２９１は、例えば、ケース２１０の前端部に設けられている。第１ケース固定部２９１は、ケース２１０に固定された第１部分２９１ａと、冷蔵庫本体１００の天井壁１１１に沿う第２部分２９１ｂとを有する。第２部分２９１ｂは、ねじ挿通穴２９３を有する（図７参照）。ねじ挿通穴２９３は、冷蔵庫本体１００の天井壁１１１に設けられたねじ穴２９４（例えば、補強部材１１１ｂに設けられたねじ穴２９４）に面する。ねじ挿通穴２９３に通された締結部材（ボルトやねじなど）２９５がねじ穴２９４に係合することで、ケース２１０の前端部が冷蔵庫本体１００の天井壁１１１に固定される。
【００９３】
一対の第２ケース固定部２９２は、例えば、ケース２１０の後端部に設けられている。第２ケース固定部２９２は、ケース２１０に固定された第１部分２９２ａと、冷蔵庫本体１００の天井壁１１１に沿う第２部分２９２ｂとを有する。第２部分２９２ｂは、係合穴２９６を有する。天井壁１１１は、係合穴２９６に着脱可能に係合する係合部２９７を有する。
【００９４】
図１３は、係合部２９７の動きを示す断面図である。係合部２９７は、例えば、前端部から後端部に向かうに従い高さが高くなる傾斜部を有する。係合部２９７の後端部は、略鉛直方向に延びている。係合部２９７は、天井壁１１１の上面に対して上下方向に揺動可能に設けられており、防災ユニット２００が係合部２９７に乗り上げた場合に、天井壁１１１の内部に向けて沈むことで防災ユニット２００の通過を許容する。一方で、係合部２９７が係合穴２９６に係合した場合、防災ユニット２００は、係合部２９７の後端部によって支持され、前方に向けては移動できなくなる。これにより、防災ユニット２００の後端部が固定される。係合部２９７は、不図示の解除ボタンが操作されることで下方に移動される。これにより、冷蔵庫本体１００の天井壁１１１から防災ユニット２００を取り外すことができる。
【００９５】
［５．制御部］
次に、冷蔵庫本体１００の制御部１９０、防災ユニット２００の予備電源全体制御部３６０、および防災ユニット２００の第２予備電源制御部３２８について説明する。本実施形態では、冷蔵庫本体１００の制御部１９０、予備電源全体制御部３６０、および第２予備電源制御部３２８を纏めて、冷蔵庫１の制御部５００と称する。
【００９６】
図１４は、冷蔵庫１の制御部５００の構成を示すブロック図である。ここで、以下に説明する各機能部の全部または一部は、ＣＰＵ（Central Processing Unit）またはＧＰＵ（Graphics Processing Unit）などのハードウェアプロセッサが記憶部に格納されたプログラム（ソフトウェア）を実行することにより実現される。ただし、これらの機能部のうち一部または全部は、ＡＳＩＣ（Application Specific Integrated Circuit）やＰＬＤ（Programmable Logic Device）、ＦＰＧＡ（Field Programmable Gate Array）などのハードウェア（回路部；circuitryを含む）によって実現されてもよいし、ソフトウェアとハードウェアとの協働によって実現されてもよい。
【００９７】
［５．１  冷蔵庫本体の制御部］
まず、冷蔵庫本体１００の制御部１９０について説明する。
冷蔵庫本体１００の制御部１９０は、例えば、災害検出部５１１、冷却ユニット制御部５１２、充放電制御部５１３、情報取得部５１４、情報生成部５１５、および表示制御部５１６を有する。ただし、これら機能部の一部は、冷蔵庫本体１００に代えて、予備電源全体制御部３６０または第２予備電源制御部３２８の一部として設けられてもよい。
【００９８】
災害検出部５１１は、ネットワークＮＷを介して受信する災害情報と、加速度センサＡＳの検出結果とのうち少なくとも一方に基づき、災害（例えば地震）の発生を検出する。災害検出部５１１は、災害の発生が検出された場合、災害の発生を示す所定の信号を予備電源全体制御部３６０および第２予備電源制御部３２８に送信する。また、災害検出部５１１は、ネットワークＮＷを介して受信する災害情報に基づいて災害（例えば大雨）の発生が迫っていることを検出し、災害の発生が迫っていることが検出された場合、上記所定の信号を予備電源全体制御部３６０および第２予備電源制御部３２８に送信する。以下では、説明の便宜上、「災害が実際に発生した場合」と「災害の発生が迫っている場合（災害が発生する可能性が高い場合）」とを纏めて「災害の発生」と称する。
【００９９】
冷却ユニット制御部５１２は、冷蔵室用ファン１４３、冷凍室用ファン１４４、および圧縮機１４５などの駆動を制御する。例えば、冷却ユニット制御部５１２は、災害検出部５１１により災害の発生が検出された場合、冷却ユニット１４０の消費電力を抑える低電力モードに移行する。
【０１００】
充放電制御部５１３は、通常時（非災害時）には、商用電源Ｐから冷蔵庫本体１００に供給される電力を用いて、予備電源装置３００のバッテリユニット３１２，３２２を充電状態に維持する。一方で、充放電制御部５１３は、停電時には、少なくとも第１予備電源装置３１０のバッテリユニット３１２を放電させ、放電させることで得られる電力を用いて冷却ユニット１４０を駆動させる。このとき、充放電制御部５１３は、冷蔵庫本体１００に第２予備電源装置３２０のバッテリユニット３２２からも電力を供給させる指示を示すユーザの操作が冷蔵庫本体１００の操作部１６０または端末装置２により受け付けられた場合、第１予備電源装置３１０のバッテリユニット３１２に加えて、第２予備電源装置３２０のバッテリユニット３２２も放電させ、放電させることで得られる電力を用いて冷却ユニット１４０を駆動させる。
【０１０１】
また、充放電制御部５１３は、第２予備電源装置３２０がポータブル電源として使用されて残容量が低下した後に第１予備電源装置３１０と電気的に接続された場合、第１予備電源装置３１０のバッテリユニット３１２から放電される電力を用いて第２予備電源装置３２０のバッテリユニット３２２を充電してもよい。
【０１０２】
情報取得部５１４は、予備電源装置３００の異常の有無、予備電源装置３００のバッテリユニット３１２，３２２の劣化状態、および予備電源装置３００のバッテリユニット３１２，３２２の残容量を示す情報を、予備電源全体制御部３６０から取得する。例えば、情報取得部５１４は、通常時には、所定の周期（例えば１ヶ月に１回）で、上記情報を予備電源全体制御部３６０から取得する。一方で、情報取得部５１４は、災害検出部５１１により災害の発生が検出された場合、予備電源装置３００の異常の有無、および予備電源装置３００のバッテリユニット３１２，３２２の残容量を示す情報予備電源全体制御部３６０から取得する。
【０１０３】
情報生成部５１５は、情報取得部５１４により取得された情報に基づき、冷蔵庫本体１００の表示装置１５０の表示画面Ｄ２、端末装置２の表示装置２ａの表示画面Ｄ１、予備電源装置３００の表示装置３２５の表示画面Ｄ４、および防災ユニット２００の前面カバー２２０の表示領域Ｄ３のうち少なくとも１つ（以下、「表示領域Ｄ」と称する）に表示させる情報を生成する。例えば、情報生成部５１５は、予備電源装置３１０，３２０の異常の有無を示す情報、予備電源装置３１０，３２０のバッテリユニット３１２，３２２の劣化状態に関する情報、および、予備電源装置３１０，３２０のバッテリユニット３１２，３２２の残容量に関する情報のうち少なくとも１つを、表示領域Ｄに表示させる情報として生成する。
【０１０４】
ここで、「バッテリユニット３１２，３２２の劣化状態に関する情報」は、例えば、予備電源装置３１０，３２０のバッテリユニット３１２，３２２の交換目安時期と、バッテリユニット３１２，３２２の交換の要否とのうち少なくとも一方を示す情報を含む。「バッテリユニット３１２，３２２の残容量に関する情報」は、例えば、第１予備電源装置３１０から供給される電力で冷蔵庫本体１００が運転される場合における冷蔵庫本体１００の運転継続可能時間（どのくらいの期間、運転を継続することができるか）と、第２予備電源装置３２０から供給される電力で端末装置２または別の端末装置が充電される場合における充電可能回数を示す情報とのうち少なくとも一方を含む。また、「バッテリユニット３１２，３２２の残容量に関する情報」は、第１予備電源装置３１０および第２予備電源装置３２０の両方から供給される電力で冷蔵庫本体１００が運転される場合における冷蔵庫本体１００の運転継続可能時間を示す情報を含んでもよい。
【０１０５】
情報生成部５１５は、通常時には、上記所定の周期で、予備電源装置３１０，３２０の異常の有無、予備電源装置３１０，３２０のバッテリユニット３１２，３２２の劣化状態を示す情報、および予備電源装置３１０，３２０のバッテリユニット３１２，３２２の残容量を示す情報を、表示領域Ｄに表示させる情報として生成する。一方で、情報生成部５１５は、災害検出部５１１により災害の発生が検出された場合、予備電源装置３１０，３２０の異常の有無、および、予備電源装置３１０，３２０のバッテリユニット３１２，３２２の残容量を示す情報を、表示領域Ｄに表示させる情報として生成する。
【０１０６】
表示制御部５１６は、表示領域Ｄに表示させる情報が情報生成部５１５により生成された場合、その情報を冷蔵庫本体１００の表示装置１５０、端末装置２の表示装置２ａ、第２予備電源装置３２０の表示装置３２５、および防災ユニット２００の前面カバー２２０の背後に設けられる表示装置に送信し、その情報を表示領域Ｄに表示させる。
【０１０７】
［５．２  防災ユニットの予備電源全体制御部］
次に、予備電源装置３００の予備電源全体制御部３６０について説明する。
予備電源全体制御部３６０は、例えば、異常検出部５２１、劣化検出部５２２、および残容量検出部５２３を有する。ただし、これら機能部の一部は、予備電源装置３００に代えて、冷蔵庫本体１００の制御部１９０または第２予備電源制御部３２８の一部として設けられてもよい。
【０１０８】
異常検出部５２１は、例えば、予備電源装置３１０，３２０のバッテリユニット３１２，３２２の試験放電を行い、電圧センサＶＳ１，ＶＳ２および電流センサＩＳ１，ＩＳ２の検出結果に基づき、予備電源装置３１０，３２０の異常の有無を検出する。異常検出部５２１の検出結果は、冷蔵庫本体１００の制御部１９０および第２予備電源制御部３２８に送信される。
【０１０９】
劣化検出部５２２は、予備電源装置３１０，３２０のバッテリユニット３１２，３２２の試験放電が行われる場合に、電圧センサＶＳ１，ＶＳ２および電流センサＩＳ１，ＩＳ２の検出結果に基づき、バッテリユニット３１２，３２２の劣化状態を検出する。ここで、予備電源装置３００の記憶部３７０には、バッテリユニット３１２，３２２の劣化特性（例えば、放電量の積算値と端子電圧の電圧降下量との組み合わせと劣化度合いとの関係）を示す情報が記憶されている。劣化検出部５２２は、上記試験放電において検出されたバッテリユニット３１２，３２２からの放電量の積算値と、バッテリユニット３１２，３２２の端子電圧の電圧降下量と、記憶部３７０に記憶された劣化特性を示す情報とに基づき、バッテリユニット３１２，３２２の劣化状態を検出する。ただし、劣化状態の検出方法は、上記例に限定されず、既知の種々の方法が利用可能である。劣化検出部５２２の検出結果は、冷蔵庫本体１００の制御部１９０および第２予備電源制御部３２８に送信される。
【０１１０】
残容量検出部５２３は、電圧センサＶＳ１，ＶＳ２により検出された予備電源装置３１０，３２０のバッテリユニット３１２，３２２の端子電圧の検出結果に基づき、バッテリユニット３１２，３２２の残容量を検出する。ただし、残容量の検出方法は、上記例に限定されず、既知の種々の方法が利用可能である。残容量検出部５２３の検出結果は、冷蔵庫本体１００の制御部１９０および第２予備電源制御部３２８に送信される。
【０１１１】
異常検出部５２１、劣化検出部５２２、および残容量検出部５２３は、通常時には、上記所定の周期でバッテリユニット３１２，３２２の試験放電などを行い、バッテリユニット３１２，３２２の異常の有無や劣化状態、バッテリユニット３１２，３２２の残容量を検出する。一方で、異常検出部５２１および残容量検出部５２３は、災害の発生を示す所定の信号を冷蔵庫本体１００の災害検出部５１１から受信した場合に、例えば、バッテリユニット３１２，３２２の端子電圧の変化の有無などに基づき、バッテリユニット３１２，３２２の異常の有無およびバッテリユニット３１２，３２２の残容量を検出し、それら検出結果を冷蔵庫本体１００の制御部１９０および第２予備電源制御部３２８に送信する。例えば、異常検出部５２１は、地震の発生を示す所定の信号を冷蔵庫本体１００の災害検出部５１１から受信した場合、地震発生後（加速度センサＡＳによる検出結果が閾値以内に収まった後）にバッテリユニット３１２，３２２の異常の有無を検出し、その検出結果を冷蔵庫本体１００の制御部１９０および第２予備電源制御部３２８に送信する。
【０１１２】
［５．３  防災ユニットの第２予備電源制御部］
次に、防災ユニット２００の第２予備電源制御部３２８について説明する。
第２予備電源制御部３２８は、例えば、放電制御部５３１、残容量検出部５３２、情報生成部５３３、および表示制御部５３４を有する。ただし、これら機能部の一部は、第２予備電源装置３２０に代えて、冷蔵庫本体１００の制御部１９０または予備電源全体制御部３６０の一部として設けられてもよい。
【０１１３】
放電制御部５３１は、第２予備電源装置３２０がポータブル電源として使用され、コネクタ３２６に電力供給対象の機器が接続された場合に、第２予備電源装置３２０のバッテリユニット３２２を放電させ、放電させることで得られる電力をその機器に供給する。
【０１１４】
残容量検出部５３２は、例えば第２予備電源装置３２０がポータブル電源として使用される場合に、電圧センサＶＳ２により検出された第２予備電源装置３２０のバッテリユニット３２２の端子電圧の検出結果に基づき、バッテリユニット３２２の残容量を検出する。ただし、残容量の検出方法は、上記例に限定されず、既知の種々の方法が利用可能である。
【０１１５】
情報生成部５３３は、例えば第２予備電源装置３２０がポータブル電源として使用される場合に、残容量検出部５３２の検出結果などに基づき、第２予備電源装置３２０の表示画面Ｄ４に表示させる情報を生成する。
【０１１６】
表示制御部５３４は、表示画面Ｄ４に表示させる情報が情報生成部５３３により生成された場合、その情報を表示装置３２５に送信し、その情報を表示画面Ｄ４に表示させる。また、表示制御部５３４は、表示画面Ｄ４に表示させる情報を冷蔵庫本体１００の制御部１９０または予備電源全体制御部３６０から受信した、その情報を表示装置３２５に送信し、その情報を表示画面Ｄ４に表示させる。
【０１１７】
以上の構成によれば、ユーザの利便性の向上を図ることができる。すなわち、本実施形態では、冷蔵庫本体１００の上方に配置される防災ユニット２００のケース２１０が配置され、このケース２１０の内部には予備電源装置３００が収容されている。このような構成によれば、デッドスペースになりやすい冷蔵庫本体１００の上方の空間を利用して、災害の発生時に電気を確保することができる。
【０１１８】
本実施形態では、予備電源装置３００は、停電時に冷蔵庫本体１００に電力を供給する第１予備電源装置３１０を有する。このような構成によれば、停電が生じた場合でも冷蔵庫本体１００の運転を継続させることができ、復旧が進むまでの数日間の食糧を確保しやすくなる。また、本実施形態では、予備電源装置３００は、ポータブル電源として使用可能な第２予備電源装置３２０を含む。このような構成によれば、家庭内の所望の場所や避難所などで第２予備電源装置３２０を使用することができる。
【０１１９】
本実施形態では、第２予備電源装置３２０は、第１予備電源装置３１０と接続されることで、第１予備電源装置３１０を介して冷蔵庫本体１００から電力が供給されて充電可能である。このような構成によれば、本体コネクタ３３０に第２予備電源装置３２０用の電気接続部を設ける場合と比べて、第２予備電源装置３２０を第１予備電源装置３１０の前方に配置しやすくなる。第１予備電源装置３１０の前方に第２予備電源装置３２０が配置されると、第２予備電源装置３２０の取り出しやすさが向上する。
【０１２０】
本実施形態では、第１予備電源装置３１０は、第２予備電源装置３２０と比べて重いとともに、第２予備電源装置３２０よりも後方または第２予備電源装置３２０よりも下方に配置されている。このような構成によれば、防災ユニット２００の重心が後方または下方になりやすく、防災ユニット２００を備える冷蔵庫１が安定しやすくなる。
【０１２１】
次に、第１の実施形態のいくつかの変形例について説明する。なお、各変形例において、以下に説明する以外の構成は、第１の実施形態の構成と同様である。
【０１２２】
（第１変形例）
図１５は、第1変形例の冷蔵庫１を一部断面で示す側面図である。ここで、冷蔵庫１は、家屋の壁Ｗに沿って配置される場合が多い。冷蔵庫本体１００の底部の機械室には、圧縮機１４５の放熱を促進するための不図示のファンが設けられている。このファンにより送風された空気は、冷蔵庫本体１００の後壁１１５と壁Ｗとの間の隙間を煙突効果で上昇する。すなわち、ファンにより送風された空気は、冷蔵庫本体１００の後壁１１５に沿って上昇する。
【０１２３】
図１６は、本変形例の防災ユニット２００を示す断面図である。本変形例では、複数の吸気孔４１１は、ケース２１０の後壁２１５に設けられている。一方で、複数の排気孔４１２は、ケース２１０の左右の側壁２１３，２１４に設けられている。
【０１２４】
本変形例では、防災ユニット２００は、例えばケース２１０の後壁２１５に設けられ、冷蔵庫本体１００の後壁１１５に沿って上昇した空気の少なくとも一部をケース２１０の吸気孔４１１に向けて案内する案内部材６０１を有する。案内部材６０１は、例えば、吸気孔４１１の僅かに上方に設けられている。案内部材６０１は、ケース２１０の後方に突出し、冷蔵庫本体１００の後壁１１５と壁Ｗとの間の隙間の上方に位置する。冷蔵庫本体１００の後壁１１５に沿って上昇した空気は、案内部材６０１にぶつかり流れ方向が変わることで吸気孔４１１に案内され、吸気孔４１１から予備電源収容室ＰＳに導かれる。本変形例では、ファン３４０は、設けられてもよく、省略されてもよい。
【０１２５】
このような構成によれば、案内部材６０１が設けられることで、冷蔵庫本体１００の後壁１１５に沿って煙突効果で上昇した空気の少なくとも一部をケース２１０の内部に効率的に取り込むことができる。これにより、予備電源装置３００の放熱性の向上を図ることができる。
【０１２６】
また、本変形例においてファン３４０が設けられた場合、ファン３４０が駆動されて吸気孔４１１から空気が取り入れられることで、冷蔵庫本体１００の後壁１１５と壁Ｗとの間の隙間の空気をケース２１０の内部に積極的に導くことができる。冷蔵庫本体１００の後壁１１５と壁Ｗとの間の隙間の空気をケース２１０の内部に積極的に導くことができると、冷蔵庫本体１００の後壁１１５と壁Ｗとの間の隙間で空気が滞留しにくくなり、冷蔵庫本体１００の後壁１１５に設けられた放熱パイプ１４６の放熱を促進することができる。これにより、冷蔵庫本体１００の放熱性を高めることができる。
【０１２７】
（第２変形例）
図１７は、第２変形例の防災ユニット２００を示す断面図である。本変形例では、防災ユニット２００のケース２１０の後壁１１５の外表面にエンボス加工が施されている。すなわち、ケース２１０の後壁１１５の外表面は、複数の凹部６０５と複数の凸部６０６とを有する。凹部６０５と凸部６０６は、鉛直方向に互いに交互に配置されている。
【０１２８】
このような構成によれば、冷蔵庫本体１００の後壁１１５に沿って上昇する空気の一部が乱流状態になりやすく、防災ユニット２００のケース２１０の後壁２１５と壁Ｗとの間の隙間を空気がスムーズに通過して上方に抜けやすくなる。これにより、冷蔵庫１の周囲の空気の循環性を高めることができ、冷蔵庫１の放熱性の向上を図ることができる。
【０１２９】
（第３変形例）
図１８は、第３変形例の冷蔵庫１を示す断面図である。本変形例では、冷蔵庫本体１００の天井壁１１１は、第１領域Ｒ１と、第２領域Ｒ２とを有する。第１領域Ｒ１は、予備電源装置３００の下方（予備電源収容室ＰＳの下方）に位置する。第２領域Ｒ２は、第１領域Ｒ１を外れた場所に位置する。すなわち、第２領域Ｒ２は、予備電源装置３００と鉛直方向で重ならない。
【０１３０】
本変形例では、天井壁１１１の第１領域Ｒ１の少なくとも一部の断熱材１１０ｃの厚さＴ１は、天井壁１１１の第２領域Ｒ２の断熱材１１０ｃの厚さＴ２よりも薄い。例えば、断熱材１１０ｃは、第１領域Ｒ１のなかで、防災ユニット２００の一対の脚部２８０の間の領域で薄くなっている。また本変形例では、少なくとも断熱材１１０ｃが薄くなっている領域では、真空断熱材１１１ａが設けられていない。
【０１３１】
このような構成によれば、冷蔵庫本体１００の天井壁１１１の上面が貯蔵室１２０の冷気によって冷却されやすく、天井壁１１１の上面の温度が上昇しにくい。このため、冷蔵庫本体１００の天井壁１１１と防災ユニット２００との間の隙間Ｓ２の空気の温度が上昇しにくい。その結果、予備電源装置３００の放熱性の向上を図ることができる。
【０１３２】
（第４変形例）
図１９は、第４変形例の冷蔵庫１を示す断面図である。本変形例では、天井壁１１１の第１領域Ｒ１の少なくとも一部の断熱材１１０ｃの厚さＴ１（真空断熱材１１１ａを上下に挟むように断熱材１１０ｃが存在する場合は、真空断熱材１１１ａの上側の断熱材１１０ｃの厚さｔ１と真空断熱材１１１ａの下側の断熱材１１０ｃの厚さｔ２の合計）は、天井壁１１１の第２領域Ｒ２の断熱材１１０ｃの厚さＴ２よりも厚い。例えば、断熱材１１０ｃは、冷蔵庫１の横幅方向において、防災ユニット２００の一対の脚部２８０の間の領域よりも大きな領域で厚くなっている。
【０１３３】
このような構成によれば、予備電源装置３００が発熱する場合に、予備電源装置３００の熱が貯蔵室１２０の内部に伝わることが抑制される。これにより、貯蔵室１２０内の温度上昇を抑制することができる。
【０１３４】
（第５変形例）
図２０は、第５変形例の冷蔵庫１を示す断面図である。本変形例では、防災ユニット２００のケース２１０の底壁２１２は、断熱性を持つ。言い換えると、ケース２１０は、予備電源収容室ＰＳと冷蔵庫本体１００との間に断熱性の壁部（底壁２１２）を有する。底壁２１２は、例えば、合成樹脂製の第１部分２１２ａと、断熱性を持つ部材で形成された第２部分２１２ｂとを有し、第１部分２１２ａと第２部分２１２ｂとは、鉛直方向に重なっている。第２部分２１２ｂは、例えば、真空断熱材により形成されている。なお、第２部分２１２ｂは、発泡ウレタンのような発泡断熱材により形成されてもよい。
【０１３５】
このような構成によれば、予備電源装置３００が発熱する場合に、予備電源装置３００の熱が貯蔵室１２０の内部に伝わることが抑制される。これにより、貯蔵室１２０内の温度上昇を抑制することができる。
【０１３６】
（第６変形例）
図２１は、第６変形例の冷蔵庫１を示す断面図である。本変形例では、防災ユニット２００のケース２１０の底壁２１２は、一対の傾斜面６１１，６１２を有する。傾斜面６１１，６１２の各々は、ケース２１０の外周側に進むに従い上方に位置する。本変形例では、ケース２１０の底壁２１２は、底壁２１２の中央部に位置した平面６１３と、平面６１３の左側に隣接する左傾斜面６１１と、平面６１３の右側に隣接する右傾斜面６１２とを有する。例えば、左傾斜面６１１の横幅方向の幅Ｗ１と右傾斜面６１２の横幅方向の幅Ｗ２の合計は、平面６１３の横幅方向の幅Ｗ３と略同じかそれよりも大きい。
【０１３７】
このような構成によれば、防災ユニット２００のケース２１０と冷蔵庫本体１００の天井壁１１１との間の隙間Ｓ２に空気は、ケース２１０の外周側（左側または右側）に抜けやすくなる。これにより、隙間Ｓ２に空気が滞留しにくく、隙間Ｓ２に比較的冷たい空気が流入しやすくなる。これにより、予備電源装置３００の放熱性の向上を図ることができるとともに、貯蔵室１２０内の温度上昇も抑制することができる。
【０１３８】
（第２の実施形態）
次に、第２の実施形態の冷蔵庫１について説明する。本実施形態は、防災ユニット２００が防災用品７００を収容可能な防災用品収容室ＧＳ１，ＧＳ２，ＧＳ３を有した点で、第１の実施形態とは異なる。なお以下に説明する以外の構成は、第１の実施形態と同様である。
【０１３９】
図２２は、第２の実施形態の冷蔵庫１を示す正面図である。本実施形態では、防災ユニット２００は、第１の実施形態と比べて大型のケース２１０を有する。ケース２１０の横幅方向の中心は、冷蔵庫本体１００の横幅方向の中心と略一致する。例えば、ケース２１０は、４つの収容室を有する。
【０１４０】
図２３は、本実施形態の防災ユニット２００を示す断面図である。本実施形態では、ケース２１０は、予備電源装置３００が収容される予備電源収容室ＰＳに加え、第１から第３の防災用品収容室（防災用品収容空間）ＧＳ１，ＧＳ２，ＧＳ３を有する。防災用品収容室ＧＳ１，ＧＳ２，ＧＳ３と予備電源収容室ＰＳとを含む４つの収容室は、ケース２１０の内部に設けられた仕切り壁２１７によって互いに仕切られている。例えば、仕切り壁２１７は、合成樹脂製であり、電気絶縁性を有する。これにより、例えば地震の揺れにより万が一に予備電源装置３００が破損した場合であっても、防災用品収容室ＧＳ１，ＧＳ２，ＧＳ３の内部の電気的な安全性がより確実に確保されている。
【０１４１】
図２４は、図２３中に示された防災ユニット２００のＦ２４−Ｆ２４線に沿う断面図である。図２５は、図２３中に示された防災ユニット２００のＦ２５−Ｆ２５線に沿う断面図である。第１から第３の防災用品収容室ＧＳ１，ＧＳ２，ＧＳ３は、例えば、冷蔵庫本体１００の前後方向において予備電源収容室ＰＳと略同じ奥行きを有する。
【０１４２】
防災用品収容室ＧＳ１，ＧＳ２，ＧＳ３の各々には、防災用品（防災グッズ）７００が収容される。防災用品７００は、例えば、飲料水のペットボトル、長期保存可能な食糧（乾パン、缶詰、レトルト食品、インスタント食品、飴やチョコレートなど）、給水用ポリタンク、カセットコンロ・ボンベ、携帯ラジオ、ヘルメット、防災ずきん、厚手の手袋、懐中電灯、万能ナイフ、マスク、ティッシュペーパー、ウェットティッシュ、簡易トイレ、救急用品セット、薬、携帯カイロ、ライター・マッチ、ロウソクなどであるが、これらに限らない。これらの一部または全部は、非常持ち出し品袋に入れられた状態で、防災用品収容室ＧＳ１，ＧＳ２，ＧＳ３に収容されている。
【０１４３】
次に、図２３に戻り、３つの防災用品収容室ＧＳ１，ＧＳ２，ＧＳ３と、予備電源収容室ＰＳとの配置関係について説明する。本実施形態では、第１および第２の防災用品収容室ＧＳ１，ＧＳ２は、予備電源収容室ＰＳの左方に配置されている。第１防災用品収容室ＧＳ１と予備電源収容室ＰＳとは、略同じ高さ位置に配置されている。第２防災用品収容室ＧＳ２は、第１防災用品収容室ＧＳ１の上方に配置され、予備電源収容室ＰＳよりも高い位置に配置されている。第３防災用品収容室ＧＳ３は、予備電源収容室ＰＳの上方に配置されている。第２防災用品収容室ＧＳ２と第３防災用品収容室ＧＳ３とは互いに同じ高さに配置されている。
【０１４４】
以上の配置を言い換えると、予備電源収容室ＰＳは、第１から第３の防災用品収容室ＧＳ１，ＧＳ２，ＧＳ３と予備電源収容室ＰＳとを含む４つの収容室のなかで、最も下方に位置する。ここで、予備電源装置３００の重量は、防災用品７００の重量よりも重い。このため、予備電源収容室ＰＳが下方に設けられると、防災ユニット２００の重心が低くなり、防災ユニット２００が安定しやすくなる。
【０１４５】
また、以上の配置を別の観点で見ると、予備電源収容室ＰＳは、ケース２１０の横幅方向の中心に対して、右側（冷蔵庫本体１００の横幅方向の中心に対して左右の冷蔵室扉１３１Ａ，１３１Ｂの境界が偏る側とは反対側）に偏って配置されている。これにより、冷蔵庫扉１３１Ａ，１３１Ｂが閉じられた時に防災ユニット２００に加わる衝撃が予備電源装置３００に伝わりにくい。本実施形態では、予備電源収容室ＰＳの全体は、左右の冷蔵室扉１３１Ａ，１３１Ｂの境界に対して冷蔵庫１の前後方向で重ならない位置まで、左右の冷蔵室扉１３１Ａ，１３１Ｂの境界に対して右側にずれて配置されている。
【０１４６】
このような構成によれば、デッドスペースになりやすい冷蔵庫本体１００の上方の空間を利用して、災害の発生時に電気および食料を確保することができる。なお、防災用品収容室は、３つ設けられる必要はなく、１つや２つでもよく、４つ以上でもよい。
【０１４７】
（第３の実施形態）
次に、第３の実施形態の冷蔵庫１について説明する。本実施形態は、防災ユニット２００が照明装置８００を収容可能な照明装置収容室ＬＳを有した点で、第２の実施形態とは異なる。なお以下に説明する以外の構成は、第２の実施形態と同様である。
【０１４８】
図２６は、第３の実施形態の防災ユニット２００を示す断面図である。本実施形態では、ケース２１０は、予備電源収容室ＰＳと、第１から第３の防災用品収容室ＧＳ１，ＧＳ２，ＧＳ３とに加え、照明装置８００が収容される照明装置収容室（照明装置収容空間）ＬＳを有する。
【０１４９】
本実施形態では、照明装置収容室ＬＳは、予備電源収容室ＰＳの右方に配置されている。照明装置収容室ＬＳと予備電源収容室ＰＳとは、略同じ高さ位置に配置されている。別の観点で見ると、照明装置収容室ＬＳは、第３防災用品収容室ＧＳ３の下方に配置されている。このような構成によれば、照明装置収容室ＬＳが第１防災用品収容室ＧＳ１と予備電源収容室ＰＳとの間に配置される場合と比べて、予備電源装置３００がケース２１０の横幅方向の中心近くに配置されやすくなる。これにより、防災ユニット２００を備える冷蔵庫１の横幅方向の安定性を高めることができる。
【０１５０】
防災用品収容室ＧＳ３と照明装置収容室ＬＳとは、ケース２１０の内部に設けられた仕切り壁２１７によって互いに仕切られている。一方で、本実施形態では、予備電源収容室ＰＳと照明装置収容室ＬＳとの間には、ケース２１０に対して着脱可能な仕切り壁２１８が設けられている。仕切り壁２１８は、合成樹脂製であり、電気絶縁性を有する。予備電源収容室ＰＳと照明装置収容室ＬＳとの間に仕切り壁２１８が設けられると、例えば地震の揺れにより万が一に予備電源装置３００が破損した場合であっても、照明装置収容室ＬＳの内部の電気的な安全性がより確実に確保される。また、仕切り壁２１８がケース２１０から取り外すことができると、第１予備電源装置３１０が第２予備電源装置３２０よりも大きい場合でも、第１予備電源装置３１０をケース２１０の前方に取り出すことができる。
【０１５１】
本実施形態では、照明装置８００は、ポータブルライトとして冷蔵庫本体１００から分離して使用可能（防災ユニット２００のケース２１０から分離して使用可能）である。すなわち、照明装置８００は、冷蔵庫本体１００の設置場所とは異なる場所に持ち運んで使用可能である。
【０１５２】
図２７は、本実施形態の照明装置８００を示す斜視図である。照明装置８００は、例えば、照明装置ケース８０１、バッテリ８０２（図２８参照）、端子部８０３、第１ライト部８０４、第２ライト部８０５、取っ手８０６、および制御部８０７を有する。
【０１５３】
照明装置ケース８０１は、例えば長細い箱状に形成されている。照明装置ケース８０１は、第１端部８０１ａと、第２端部８０１ｂとを有する。第１端部８０１ａは、第１予備電源装置３１０に面する端部である（図２８参照）。第２端部８０１ｂは、第１端部８０１ａとは反対側に位置し、冷蔵庫１の前方に向けて配置される端部である。バッテリ８０２は、照明装置ケース８０１の内部に収容されている。
【０１５４】
端子部８０３は、照明装置ケース８０１の第１端部８０１ａに設けられている。端子部８０３は、例えば、照明装置８００と第１予備電源装置３１０とを接続するための端子部であり、後述する第１予備電源装置３１０の第３端子部３１６と着脱可能に接続される。照明装置８００は、第１予備電源装置３１０と接続されることで、第１予備電源装置３１０、本体コネクタ３３０、電源回路部３５０、および電気接続部材４０３を介して冷蔵庫本体１００に電気的に接続される。これにより、照明装置８００のバッテリ８０２は、冷蔵庫本体１００から電力が供給されて充電可能になる。本実施形態では、照明装置８００のバッテリ８０２は、電源回路部３５０から電力が供給されて充電可能になる。
【０１５５】
第１ライト部８０４は、例えば、照明装置ケース８０１の第２端部８０１ｂに設けられている。第１ライト部８０４は、非常灯として機能するライト部である。例えば、第１ライト部８０４は、照明装置ケース８０１の第２端部８０１ｂの端面に設けられ、前方に向けて突出した半球状のレンズ８０４ａを有する。第１ライト部８０４は、半球状のレンズ８０４ａを有することで、第１ライト部８０４の前方および周囲に対して放射状に光を放つ。また、第１ライト部８０４から放射される光の一部は、レンズ８０４ａが半球状に形成されていることで、照明装置ケース８０１の第２端部８０１ｂの端面よりも後方（第１端部８０１ａ側）にも向かう。
【０１５６】
第２ライト部８０５は、例えば、照明装置ケース８０１において第１端部８０１ａと第２端部８０１ｂとの間に設けられている。第２ライト部８０５は、第１ライト部８０４よりも大きいライトである。第２ライト部８０５は、例えば照明装置８００がポータブルライトとして使用され、第１ライト部８０４よりも大きな光量が必要な場合に点灯される。
【０１５７】
取っ手８０６は、照明装置ケース８０１の第２端部８０１ｂに設けられている。取っ手８０６は、照明装置８００を防災ユニット２００のケース２１０から取り出す場合や、照明装置８００を持ち運ぶ場合に、ユーザが手を掛ける部分である。取っ手８０６は、照明装置８００が防災ユニット２００のケース２１０に収容された状態で、ケース２１０の開口２１０ａに対して照明装置８００のなかで最も近くに位置する。取っ手８０６は、防災ユニット２００の前面カバー２２０が開かれた場合、ケース２１０の開口２１０ａを通じて、ケース２１０の前方に向けてケース２１０の外部に露出される。
【０１５８】
制御部８０７は、例えば、１つ以上の制御基板により実現されている。制御部８０７は、第１ライト部８０４および第２ライト部８０５の点灯を制御する。本実施形態では、冷蔵庫本体１００の災害検出部５１１は、ネットワークＮＷを介して受信する災害情報と加速度センサＡＳの検出結果とのうち少なくとも一方に基づき災害の発生を検出した場合、災害の発生を示す所定の信号を照明装置８００の制御部８０７にも送信する。照明装置８００の制御部８０７は、上記所定の信号を受信した場合、解除の操作がされるまで一定時間に亘り第１ライト部８０４を点灯させる。
【０１５９】
図２８は、図２６中に示された防災ユニット２００のＦ２８―Ｆ２８線に沿う断面図である。本実施形態では、第１予備電源装置３１０の横幅方向の幅Ｗ４は、第２予備電源装置３２０の横幅方向の幅Ｗ５よりも大きい。第１予備電源装置３１０は、第１領域３１０ａと、第２領域３１０ｂとを有する。第１領域３１０ａは、冷蔵庫１の前後方向で第２予備電源装置３２０と面する。第１領域３１０ａは、第２予備電源装置３２０と接続される第２端子部３１４を有する。一方で、第２領域３１０ｂは、冷蔵庫１の前後方向で照明装置８００と面する。第２領域３１０ｂは、照明装置８００と接続される第３端子部３１６を有する。
【０１６０】
本実施形態では、照明装置８００の第１ライト部８０４の少なくとも一部は、予備電源装置３００の前端部（例えば第２予備電源装置３２０の第２端部３２１ｂ）よりも前方に位置する。これにより、第１ライト部８０４は、第２予備電源装置３２０の取っ手３２４や表示画面Ｄ４、コネクタ３２６などを照らすことができる。例えば、第１ライト部８０４の少なくとも一部は、照明装置収容室ＬＳと予備電源収容室ＰＳとの間に位置する仕切り壁２１８の前端部よりも前方に位置する。これにより、第１ライト部８０４は、仕切り壁２１８に邪魔されずに、第２予備電源装置３２０の取っ手３２４や表示画面Ｄ４、コネクタ３２６などを照らすことができる。
【０１６１】
また、第１ライト部８０４の少なくとも一部は、防災用品収容室ＧＳ１，ＧＳ２，ＧＳ３と予備電源収容室ＰＳとの間に位置する仕切り壁２１７の前端部よりも前方に位置する。これにより、第１ライト部８０４は、仕切り壁２１７に邪魔されずに、第１から第３の防災用品収容室ＧＳ１，ＧＳ２，ＧＳ３の前端部を照らすことができる。
【０１６２】
本実施形態では、冷蔵庫本体１００の充放電制御部５１３は、照明装置８００がポータブルライトとして使用されてバッテリ８０２の残容量が低下した後に第１予備電源装置３１０と電気的に接続された場合、第１予備電源装置３１０のバッテリユニット３１２から放電される電力を用いて照明装置８００のバッテリ８０２を充電してもよい。
【０１６３】
このような構成によれば、デッドスペースになりやすい冷蔵庫本体１００の上方の空間を利用して、災害の発生時に電気、食料、および照明を確保することができる。なお、照明装置８００の構成は、上記例に限定されない。例えば、照明装置８００は、第１ライト部８０４と第２ライト部８０５とのうち一方のみを有してもよい。また、照明装置８００は、ポータブルライトとして使用可能な照明装置に限らず、防災ユニット２００のケース２１０に固定された照明装置でもよい。
【０１６４】
次に、第３の実施形態のいくつかの変形例について説明する。なお、各変形例において、以下に説明する以外の構成は、第３の実施形態の構成と同様である。
【０１６５】
（第１変形例）
図２９は、第1変形例の冷蔵庫１を示す図である。図２９中の（ｂ）は、図２９中の（ａ）におけるｂ−ｂ線に沿う断面図である。本変形例では、前面カバー２２０は、透光性の部材で形成されている。「透光性の部材」とは、透明でもよく、半透明でもよく、有色であってもよい。例えば、前面カバー２２０は、導光板として形成されている。すなわち、前面カバー２２０は、前方に向いた第１面２２０ａと、第１面２２０ａとは反対側に位置した第２面２２０ｂと、第１面２２０ａと第２面２２０ｂとの間に位置する光透過部２２０ｃとを有する。第２面２２０ｂには、光を拡散させる凹凸が設けられている。
【０１６６】
本変形例では、防災ユニット２００の前面カバー２２０は、照明装置８００を避ける切欠き部Ｃを有する。照明装置８００の前端部は、ケース２１０の外部に突出している。照明装置８００の第１ライト部８０４は、前面カバー２２０の切欠き部Ｃに配置され、前面カバー２２０の一部の下方に位置するとともに、前面カバー２２０の一部の側方に位置する。照明装置８００は、前面カバー２２０の下方または側方から、前面カバー２２０の光透過部２２０ｃに向けて光を入射する。前面カバー２２０の光透過部２２０ｃに入射された光は、前面カバー２２０の内部を進むとともに、第２面２２０ｂによって拡散される。これにより、前面カバー２２０の全体が明るくなる。このような構成によれば、停電時に防災ユニット２００の位置がより分かりやすくなる。
【０１６７】
（第２変形例）
図３０は、第２変形例の防災ユニット２００を示す断面図である。本変形例では、ケース２１０の上壁２１１の前端部は、ケース２１０の底壁２１２の前端部と比べて、後方に位置する。本変形例では、前面カバー２２０は、上方に進むに従い後方に位置するように鉛直方向に対して傾けて配置されている。このような構成によれば、冷蔵庫１の前方から見た場合の圧迫感を小さくすることができる。
【０１６８】
（第４の実施形態）
次に、第４の実施形態の冷蔵庫１について説明する。本実施形態は、予備電源装置３００が主冷凍室１２５と床面Ｆとの間に配置された点で、第１の実施形態とは異なる。なお以下に説明する以外の構成は、第１の実施形態と同様である。
【０１６９】
図３１は、第４の実施形態の冷蔵庫１を示す斜視図である。本実施形態では、冷蔵庫本体１００の断熱筐体１１０は、複数の貯蔵室１２０のなかで最下段の貯蔵室（例えば主冷凍室１２５）と、冷蔵庫１が設置される床面Ｆとの間に、防災ユニット収容部９００を有する。防災ユニット収容部９００は、例えば、予備電源装置３００が収容される予備電源収容室ＰＳと、照明装置８００が収容される照明装置収容室ＬＳとを有する。
【０１７０】
断熱筐体１１０は、最下段の貯蔵室（例えば主冷凍室１２５）と、防災ユニット収容部９００（予備電源収容室ＰＳ、照明装置収容室ＬＳ）との間に断熱性の仕切り壁９１０を有する（図３２参照）。仕切り壁９１０は、断熱材１１０ｃを含む。なお、仕切り壁９１０は、真空断熱材を含んでもよい。
【０１７１】
本実施形態では、予備電源装置３００は、冷蔵庫１が設置される床面Ｆと略平行な平状に形成されている。例えば、第１予備電源装置３１０および第２予備電源装置３２０の各々は、床面Ｆと略平行な平状に形成されている。例えば、第１予備電源装置３１０および第２予備電源装置３２０は、互いに略同じ厚さに形成されている。予備電源装置３００（第１および第２の予備電源装置３１０，３２０）は、予備電源収容室ＰＳに収容され、最下段の貯蔵室（例えば主冷凍室１２５）と、床面Ｆとの間に位置する。予備電源装置３００は、最下段の貯蔵室（例えば主冷凍室１２５）と、床面Ｆとの間から冷蔵庫１の前方に向けて取り出し可能である。
【０１７２】
第１予備電源装置３１０は、第１の実施形態と同様に、停電時に冷蔵庫本体１００と一体に残され、冷蔵庫本体１００に電力を供給する予備電源装置である。第１予備電源装置３１０は、経年劣化による交換時における冷蔵庫本体１００から取り外される。
【０１７３】
第２予備電源装置３２０は、第１の実施形態と同様に、停電時にポータブル電源として冷蔵庫本体１００から分離され、所望の場所に持ち運ばれて利用することができる予備電源装置である。第２予備電源装置３２０は、第１予備電源装置３１０の少なくとも一部の前方に位置し、第１予備電源装置３１０とは干渉せずに冷蔵庫１の前方に向けて取り出し可能である。
【０１７４】
本実施形態では、第１予備電源装置３１０は、予備電源収容室ＰＳから冷蔵庫１の前方に向けて取り出し可能である。例えば、第１予備電源装置３１０は、第１部分９２１と、第２部分９２２とを有する。第１部分９２１は、第２予備電源装置３２０の後方に位置する。一方で、第２部分９２２は、冷蔵庫１の前後方向で第２予備電源装置３２０とは重ならない。本実施形態では、第２部分９２２の前端部は、冷蔵庫１の前後方向において、第２予備電源装置３２０の前端部と略同じ位置に配置されている。第２部分９２２は、例えば、取っ手９３０を有する。取っ手９３０は、第１予備電源装置３１０を冷蔵庫本体１００から取り出す場合に、ユーザが手を掛ける部分である。このような構成によれば、経年劣化による交換時に第１予備電源装置３１０が冷蔵庫本体１００から取り外しやすい。
【０１７５】
本実施形態では、冷蔵庫１は、冷蔵庫本体１００に着脱可能に取り付けられる化粧カバー９４０をさらに備える。化粧カバー９４０は、予備電源装置３００および照明装置８００の前方に配置され、予備電源装置３００および照明装置８００を冷蔵庫１の外部から覆い隠す。予備電源装置３００および照明装置８００は、化粧カバー９４０が冷蔵庫本体１００から取り外された場合、冷蔵庫１の前方に向けて冷蔵庫１の外部に露出される。本実施形態では、予備電源装置３００の取っ手３２４，９３０、および照明装置８００の取っ手８０６は、化粧カバー９４０が冷蔵庫本体１００から取り外された場合、冷蔵庫１の前方に向けて冷蔵庫１の外部に露出する。
【０１７６】
図３２は、第４の実施形態の冷蔵庫１のＦ３２−Ｆ３２線に沿う断面図である。本実施形態では、防災ユニット収容部９００は、例えば、支持部４０１、緩衝部材２４０、および支持面形成部材２５０を有する。支持部４０１は、予備電源装置３００を下方から支持する。緩衝部材２４０は、支持部４０１と予備電源装置３００との間に位置する。支持面形成部材２５０は、緩衝部材２４０と予備電源装置３００との間に位置する。ただし、予備電源装置３００の耐震性が比較的高い場合、緩衝部材２４０や支持面形成部材２５０は省略されてもよい。
【０１７７】
このような構成によれば、災害の発生時に電気を確保することができる。また本実施形態では、重量が重たい予備電源装置３００が冷蔵庫本体１００の最も下方に配置される。これにより、地震などに対する冷蔵庫１の安定性を高めることができる。また、予備電源装置３００が冷蔵庫本体１００の最も下方に配置されると、冷蔵庫本体１００の上方に予備電源装置３００が配置される場合と比べて、冷蔵庫１から予備電源装置３００を取り外しやすくなる。これにより、経年劣化による交換時における第１予備電源装置３１０の取り外しや、災害の発生時の第２予備電源装置３２０の取り外しをよりスムーズに行うことができるようになる。
【０１７８】
（第５の実施形態）
次に、第５の実施形態の冷蔵庫１について説明する。本実施形態は、防災ユニット２００が冷蔵庫本体１００の側方に配置された点で、第４の実施形態とは異なる。なお以下に説明する以外の構成は、第４の実施形態と同様である。
【０１７９】
図３３は、第５の実施形態の冷蔵庫１を示す斜視図である。本実施形態では、防災ユニット２００のケース２１０は、冷蔵庫本体１００の側方（図中では右側方であるが、左側方でもよい）に配置されている。本変形例では、ケース２１０、予備電源装置３００、および照明装置８００は、冷蔵庫本体１００の右側壁１１４（または左側壁１１３に沿うようにして縦置きに配置されている。ケース２１０の開口２１０ａは、上方に向けて開口している。予備電源装置３００および照明装置８００は、ケース２１０から上方に向けて取り外される。
【０１８０】
このような構成によれば、災害の発生時に電気を確保することができる。また本実施形態では、重量が重たい予備電源装置３００が冷蔵庫本体１００の高い位置には配置されない。これにより、地震などに対する冷蔵庫１の安定性を高めることができる。また、予備電源装置３００が冷蔵庫本体１００の側方に配置されると、冷蔵庫本体１００の上方に予備電源装置３００が配置される場合と比べて、冷蔵庫１から予備電源装置３００を取り外しやすくなる。これにより、経年劣化による交換時における第１予備電源装置３１０の取り外しや、災害の発生時の第２予備電源装置３２０の取り外しをよりスムーズに行うことができるようになる。
【０１８１】
以上、いくつかの実施形態および変形例について説明したが、実施形態は、上記例に限定されない。例えば、第１から第５の実施形態、およびそれらの変形例は、互いに組み合わせて実現可能である。
【０１８２】
ある観点によれば、防災ユニット２００は、予備電源装置３００を必ず備える必要はなく、防災用品７００が収容される少なくとも１つの防災用品収容室のみを有してもよく、照明装置８００が収容される照明装置収容室のみを有してもよい。
【０１８３】
予備電源装置３００は、第１予備電源装置３１０と第２予備電源装置３２０とを含む構成に限定されない。例えば、予備電源装置３００は、第１予備電源装置３１０のみによって構成されてもよいし、第２予備電源装置３２０のみによって構成されてもよい。また、上述した実施形態では、第２予備電源装置３２０は、第１予備電源装置３１０を介して冷蔵庫本体１００に電気的に接続される。これに代えて、第２予備電源装置３２０は、本体コネクタ３３０に設けられた端子部に直接接続されることで、第１予備電源装置３１０を介さずに冷蔵庫本体１００と電気的に接続され、冷蔵庫本体１００から供給される電力により充電されてもよい。
【０１８４】
以上説明した少なくともひとつの実施形態によれば、冷蔵庫は、冷蔵庫本体と電気的に接続され、外部電源から前記冷蔵庫本体に供給される電力の一部を用いて充電可能であるとともに、少なくとも一部がポータブル電源として前記冷蔵庫本体から分離して使用可能な予備電源装置を備えることで、ユーザの利便性の向上を図ることができる。
【０１８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１８６】
１…冷蔵庫、２…端末機器、２ａ…表示装置、１００…冷蔵庫本体、１１０…断熱筐体、１１０ｃ…断熱材、１１１…天井壁、１１５…後壁、１２０…貯蔵室、１３０…扉、１５０…表示装置、１９０…制御部、２００…防災ユニット（冷蔵庫付属防災ユニット）、２１０…ケース、２２０…前面カバー、２４０…緩衝部材、２６０…液漏れ受け部、３００…予備電源装置、３１０…第１予備電源装置、３２０…第２予備電源装置、３２４…取っ手、３２５…表示装置、３２８…第２予備電源制御部、３４０…ファン、３６０…予備電源全体制御部、４１１…吸気孔（通気孔）、４１２…排気孔（通気孔）、５００…制御部、６０１…案内部材、７００…防災用品、８００…照明装置、ＰＳ…予備電源収容室、ＧＳ１，ＧＳ２，ＧＳ３…防災用品収容室、ＬＳ…照明装置収容室、Ｒ１…天井壁の第１領域、Ｒ２…天井壁の第２領域、ＡＳ…加速度センサ（センサ）。
【図１】
2020085297.tif 000003
【図２】
2020085297.tif 000004
【図３】
2020085297.tif 000005
【図４】
2020085297.tif 000006
【図５】
2020085297.tif 000007
【図６】
2020085297.tif 000008
【図７】
2020085297.tif 000009
【図８】
2020085297.tif 000010
【図９】
2020085297.tif 000011
【図１０】
2020085297.tif 000012
【図１１】
2020085297.tif 000013
【図１２】
2020085297.tif 000014
【図１３】
2020085297.tif 000015
【図１４】
2020085297.tif 000016
【図１５】
2020085297.tif 000017
【図１６】
2020085297.tif 000018
【図１７】
2020085297.tif 000019
【図１８】
2020085297.tif 000020
【図１９】
2020085297.tif 000021
【図２０】
2020085297.tif 000022
【図２１】
2020085297.tif 000023
【図２２】
2020085297.tif 000024
【図２３】
2020085297.tif 000025
【図２４】
2020085297.tif 000026
【図２５】
2020085297.tif 000027
【図２６】
2020085297.tif 000028
【図２７】
2020085297.tif 000029
【図２８】
2020085297.tif 000030
【図２９】
2020085297.tif 000031
【図３０】
2020085297.tif 000032
【図３１】
2020085297.tif 000033
【図３２】
2020085297.tif 000034
【図３３】
2020085297.tif 000035